(57)【要約】【課題】足位置を時間経過に伴って変化させる構成を採用しながらも膝関節へのせん断力を低減し、しかも下腿部の筋群の伸縮を促して静脈環流の促進を図る。【解決手段】床に設置されるハウジング１の上面に、使用者の左右の足をそれぞれ載せる左足支持台２ａと右足支持台２ｂとを備える。左足支持台２ａと右足支持台２ｂとは、駆動装置３により関連付けて位置移動される。駆動装置３は、左足支持台２ａおよび右足支持台２ｂを、それぞれ前後方向の位置を変化させるのに伴って左右方向の位置を変化させるように往復移動させ、かつ左足支持台２ａおよび右足支持台２ｂの代表点の移動軌跡Ｌａ，Ｌｂにおいて前端位置における左右方向の距離が後端位置における左右方向との距離より大きくなるように、左足支持台２ａおよび右足支持台２ｂを移動させる。【選択図】図１
2008104869.tif 000002
【特許請求の範囲】
【請求項１】
使用者の左右の足をそれぞれ載せる左足支持台および右足支持台と、左足支持台と右足支持台とを関連付けてそれぞれ移動させる駆動装置とを有し、駆動装置は、左足支持台および右足支持台をそれぞれの代表点が前後方向の位置を変化させるのに伴って左右方向の位置を変化させるように往復移動させ、代表点の移動軌跡において前端位置における左右方向の距離と後端位置における左右方向との距離を異ならせるように、左足支持台および右足支持台を移動させることを特徴とする他動式運動補助装置。
【請求項２】
前記駆動装置は、前記代表点の移動軌跡において前端位置における左右方向の距離が後端位置における左右方向の距離よりも大きくなるように、前記左足支持台および前記右足支持台を移動させることを特徴とする請求項１記載の他動式運動補助装置。
【請求項３】
前記駆動装置は、前記代表点の移動軌跡において前端位置における左右方向の距離が後端位置における左右方向の距離よりも小さくなるように、前記左足支持台および前記右足支持台を移動させることを特徴とする請求項１記載の他動式運動補助装置。
【請求項４】
前記駆動装置は、使用者の重心位置を前後方向の定位置に保つように前記左足支持台および前記右足支持台を前後方向において互いに逆位相で移動させることを特徴とする請求項１ないし請求項３のいずれか１項に記載の他動式運動補助装置。
【請求項５】
前記駆動装置は、前記左足支持台および前記右足支持台を一つの平面内で移動させることを特徴とする請求項１ないし請求項４のいずれか１項に記載の他動式運動補助装置。
【請求項６】
前記駆動装置は、前記左足支持台および前記右足支持台の移動軌跡を直線上に設定していることを特徴とする請求項１ないし請求項５のいずれか１項に記載の他動式運動補助装置。
【請求項７】
前記駆動装置は、前記左足支持台および前記右足支持台をそれぞれ足の幅方向の一つの軸の回りに回動可能とすることを特徴とする請求項１ないし請求項６のいずれか１項に記載の他動式運動補助装置。
【請求項８】
前記駆動装置は、前記左足支持台および前記右足支持台をそれぞれ上下方向の一つの軸の回りに回動可能とすることを特徴とする請求項１ないし請求項７のいずれか１項に記載の他動式運動補助装置。
【請求項９】
前記駆動装置は、前記左足支持台および前記右足支持台をそれぞれ足の長手方向の一つの軸の回りに回動可能とすることを特徴とする請求項１ないし請求項８のいずれか１項に記載の他動式運動補助装置。
【請求項１０】
使用者の左右の足をそれぞれ載せる左足支持台および右足支持台と、左足支持台と右足支持台とを関連付けてそれぞれ移動させる駆動装置とを有し、駆動装置は、左足支持台および右足支持台をそれぞれの代表点が前後方向の位置を変化させるように往復移動させるとともに、左足支持台および右足支持台をそれぞれ足の幅方向の一つの軸の回りに回動させるように移動させることを特徴とする他動式運動補助装置。
【請求項１１】
使用者の左右の足をそれぞれ載せる左足支持台および右足支持台と、左足支持台と右足支持台とを関連付けてそれぞれ移動させる駆動装置とを有し、駆動装置は、左足支持台および右足支持台をそれぞれの代表点が前後方向の位置を変化させるように往復移動させるとともに、左足支持台および右足支持台をそれぞれ上下方向の一つの軸の回りに回動させるように移動させることを特徴とする他動式運動補助装置。
【請求項１２】
使用者の左右の足をそれぞれ載せる左足支持台および右足支持台と、左足支持台と右足支持台とを関連付けてそれぞれ移動させる駆動装置とを有し、駆動装置は、左足支持台および右足支持台をそれぞれの代表点が前後方向の位置を変化させるように往復移動させるとともに、左足支持台および右足支持台をそれぞれ足の長手方向の一つの軸の回りに回動させるように移動させることを特徴とする他動式運動補助装置。
【請求項１３】
使用者の左右の足をそれぞれ載せる左足支持台および右足支持台と、左足支持台と右足支持台とを関連付けてそれぞれ移動させる駆動装置とを有し、駆動装置は、左足支持台および右足支持台をそれぞれの代表点が左右方向の位置を変化させるように往復移動させるとともに、左足支持台および右足支持台をそれぞれ足の幅方向の一つの軸の回りに回動させるように移動させることを特徴とする他動式運動補助装置。
【請求項１４】
使用者の左右の足をそれぞれ載せる左足支持台および右足支持台と、左足支持台と右足支持台とを関連付けてそれぞれ移動させる駆動装置とを有し、駆動装置は、左足支持台および右足支持台をそれぞれの代表点が左右方向の位置を変化させるように往復移動させるとともに、左足支持台および右足支持台をそれぞれ上下方向の一つの軸の回りに回動させるように移動させることを特徴とする他動式運動補助装置。
【請求項１５】
使用者の左右の足をそれぞれ載せる左足支持台および右足支持台と、左足支持台と右足支持台とを関連付けてそれぞれ移動させる駆動装置とを有し、駆動装置は、左足支持台および右足支持台をそれぞれの代表点が左右方向の位置を変化させるように往復移動させるとともに、左足支持台および右足支持台をそれぞれ足の長手方向の一つの軸の回りに回動させるように移動させることを特徴とする他動式運動補助装置。
【請求項１６】
前記左足支持台と前記右足支持台との少なくとも一方における足を載せる面は、駆動装置の動作中において水平面に対して規定角度で偏移していることを特徴とする請求項１ないし請求項１５のいずれか１項に記載の他動式運動補助装置。
【請求項１７】
前記左足支持台と前記右足支持台と前記駆動装置とを取り付けた架台を有し、架台の上面は水平面に対して規定角度で傾斜していることを特徴とする請求項１ないし請求項１６のいずれか１項に記載の他動式運動補助装置。
【請求項１８】
使用者の左右の足をそれぞれ載せる左足支持台および右足支持台と、左足支持台と右足支持台とを関連付けてそれぞれ移動させる駆動装置とを有し、駆動装置は、左足支持台および右足支持台をそれぞれの代表点が前後方向の位置を変化させるように往復移動させ、前記左足支持台と前記右足支持台との少なくとも一方における足を載せる面は、駆動装置の動作中において水平面に対して規定角度で偏移していることを特徴とする他動式運動補助装置。
【請求項１９】
使用者の左右の足をそれぞれ載せる左足支持台および右足支持台と、左足支持台と右足支持台とを関連付けてそれぞれ移動させる駆動装置と、左足支持台と右足支持台と駆動装置とを取り付けた架台とを有し、駆動装置は、左足支持台および右足支持台をそれぞれの代表点が前後方向の位置を変化させるように往復移動させ、架台の上面は水平面に対して規定角度で傾斜していることを特徴とする他動式運動補助装置。
【請求項２０】
使用者の左右の足をそれぞれ載せる左足支持台および右足支持台と、左足支持台と右足支持台とを関連付けてそれぞれ移動させる駆動装置とを有し、駆動装置は、左足支持台および右足支持台をそれぞれの代表点が左右方向の位置を変化させるように往復移動させ、前記左足支持台と前記右足支持台との少なくとも一方における足を載せる面は、駆動装置の動作中において水平面に対して規定角度で偏移していることを特徴とする他動式運動補助装置。
【請求項２１】
使用者の左右の足をそれぞれ載せる左足支持台および右足支持台と、左足支持台と右足支持台とを関連付けてそれぞれ移動させる駆動装置と、左足支持台と右足支持台と駆動装置とを取り付けた架台とを有し、駆動装置は、左足支持台および右足支持台をそれぞれの代表点が左右方向の位置を変化させるように往復移動させ、架台の上面は水平面に対して規定角度で傾斜していることを特徴とする他動式運動補助装置。
【発明の詳細な説明】
【技術分野】
【０００１】
本発明は、主として使用者が立位で使用し、脚部の筋肉を他動運動により伸縮させる他動式運動補助装置に関するものである。
【背景技術】
【０００２】
従来から、使用者が自発的に筋力を発揮することなく使用者の身体に外力を与えて筋群を伸縮させることにより、運動効果を得られるようにした他動運動による他動式運動補助装置が種々提案されている。この種の他動式運動補助装置には、関節の屈伸によって当該関節に関連した筋群の伸縮を促す構成のものと、身体に刺激を与えることにより神経系の反射によって筋群を伸縮させる構成のものとが知られている。
【０００３】
また、伸縮させようとする筋群に応じて使用時の姿勢は様々であり、主として変形性膝関節症の予防や歩行訓練を目的として使用者が立位で使用するものでは、歩行運動を模擬する装置が提案されている（たとえば、特許文献１、特許文献２参照）。
【０００４】
特許文献１に記載された訓練装置は、左右の足をそれぞれ載せる一対のステップを有したものであり、各ステップを前後左右の直進往復運動を組み合わせた動きとして擬似的なスケート動作を使用者に行わせるものである。また、特許文献１に記載のものは、前後動における左右のステップの位相差と、左右動における左右のステップの位相差とを０度〜３６０度の範囲で設定できるものであって、始動直後には１８０度としその後、位相差を変化させて左右の足が同一の前後方向に動く期間を増やす動作が記載されている。各ステップは駆動装置により移動するから、使用者は自発的ないし能動的に運動を行う必要はなく、単にステップに足を載せているだけで、ステップの移動に伴い他動的に運動することが可能になる。
【０００５】
特許文献１に記載のものは、使用者の重心の位置を前後および左右にずらすことによってバランスを保つように神経系の反射を生じさせ、これによって筋群を伸縮させようとするものであるから、重心位置が前後および左右に同時に偏移するようにステップの移動軌跡をほぼ平行に設定している。
【０００６】
また、特許文献２に記載された歩行体験装置は、左右一対の歩行板を歩行板水平駆動装置により駆動する構成であって、歩行訓練や仮想現実体験に用いるものであるから、前後方向における足位置のほか足の向きを変化させるために左右の回転が可能であり、また足の高さ位置や足裏の傾斜角度を変化させる構成も備えている。
【特許文献１】特開２００３−２９０３８６号公報
【特許文献２】特開平１０−５５１３１号公報
【発明の開示】
【発明が解決しようとする課題】
【０００７】
上述したように、特許文献１に記載された構成では、スケート動作を行い足位置と重心位置とをずらすことによって、大腿直筋やハムストリングスを中心とした筋肉を鍛える構成であるから、腓腹筋やひらめ筋のような下腿部の筋群を伸縮させるために、ステップの傾斜角度を自由に変化させるジンバルを設けている。言い換えると、下腿部の伸縮に伴う静脈環流を生じさせるために、ステップの傾斜角度を不安定に変化させなければならないからジンバルを必要としている。また、スケート動作は一般に膝への負担が大きいから、変形性膝関節症の予防のための運動は可能である代わりに、膝痛が生じていると使用できない可能性がある。
【０００８】
一方、特許文献２に記載された構成は、歩行動作を模擬するものであって、歩行時と同様に脚部の筋群を伸縮させることができるから、静脈環流を促進することが可能と考えられる。ただし、歩行動作を模擬するから、歩行時と同程度に膝関節に負担がかかり、膝痛が生じている使用者では使用できない可能性がある。
【０００９】
脚部の静脈環流を促進するには、下腿部の筋群の伸縮を促すのが望ましいから、膝痛を伴わずに下腿部の筋群の伸縮を促すことのできる運動補助装置が望まれている。
【００１０】
本発明は上記事由に鑑みて為されたものであり、その目的は、足位置を時間経過に伴って変化させる構成を採用しながらも膝への負担を軽減し、しかも下腿部の筋群の伸縮を促して静脈環流の促進を図った他動式運動補助装置を提供することにある。
【課題を解決するための手段】
【００１１】
請求項１の発明では、使用者の左右の足をそれぞれ載せる左足支持台および右足支持台と、左足支持台と右足支持台とを関連付けてそれぞれ移動させる駆動装置とを有し、駆動装置は、左足支持台および右足支持台をそれぞれの代表点が前後方向の位置を変化させるのに伴って左右方向の位置を変化させるように往復移動させ、代表点の移動軌跡において前端位置における左右方向の距離と後端位置における左右方向との距離を異ならせるように、左足支持台および右足支持台を移動させることを特徴とする。
【００１２】
請求項２の発明は、請求項１の発明において、前記駆動装置が、前記代表点の移動軌跡において前端位置における左右方向の距離が後端位置における左右方向の距離よりも大きくなるように、前記左足支持台および前記右足支持台を移動させることを特徴とする請求項１記載の他動式運動補助装置。
【００１３】
請求項３の発明は、請求項１の発明において、前記駆動装置が、前記代表点の移動軌跡において前端位置における左右方向の距離が後端位置における左右方向の距離よりも小さくなるように、前記左足支持台および前記右足支持台を移動させることを特徴とする。
【００１４】
請求項４の発明では、請求項１ないし請求項３のいずれかの発明において、前記駆動装置は、使用者の重心位置を前後方向の定位置に保つように前記左足支持台および前記右足支持台を前後方向において互いに逆位相で移動させることを特徴とする。
【００１５】
請求項５の発明では、請求項１ないし請求項４のいずれかの発明において、前記駆動装置は、前記左足支持台および前記右足支持台を一つの平面内で移動させることを特徴とする。
【００１６】
請求項６の発明では、請求項１ないし請求項５のいずれかの発明において、前記駆動装置は、前記左足支持台および前記右足支持台の移動軌跡を直線上に設定していることを特徴とする。
【００１７】
請求項７の発明は、請求項１ないし請求項６のいずれかの発明において、前記駆動装置が、前記左足支持台および前記右足支持台をそれぞれ足の幅方向の一つの軸の回りに回動可能とすることを特徴とする。
【００１８】
請求項８の発明は、請求項１ないし請求項７のいずれかの発明において、前記駆動装置が、前記左足支持台および前記右足支持台をそれぞれ上下方向の一つの軸の回りに回動可能とすることを特徴とする。
【００１９】
請求項９の発明は、請求項１ないし請求項８のいずれかの発明において、前記駆動装置が、前記左足支持台および前記右足支持台をそれぞれ足の長手方向の一つの軸の回りに回動可能とすることを特徴とする。
【００２０】
請求項１０の発明は、使用者の左右の足をそれぞれ載せる左足支持台および右足支持台と、左足支持台と右足支持台とを関連付けてそれぞれ移動させる駆動装置とを有し、駆動装置は、左足支持台および右足支持台をそれぞれの代表点が前後方向の位置を変化させるように往復移動させるとともに、左足支持台および右足支持台をそれぞれ足の幅方向の一つの軸の回りに回動させるように移動させることを特徴とする。
【００２１】
請求項１１の発明は、使用者の左右の足をそれぞれ載せる左足支持台および右足支持台と、左足支持台と右足支持台とを関連付けてそれぞれ移動させる駆動装置とを有し、駆動装置は、左足支持台および右足支持台をそれぞれの代表点が前後方向の位置を変化させるように往復移動させるとともに、左足支持台および右足支持台をそれぞれ上下方向の一つの軸の回りに回動させるように移動させることを特徴とする。
【００２２】
請求項１２の発明は、使用者の左右の足をそれぞれ載せる左足支持台および右足支持台と、左足支持台と右足支持台とを関連付けてそれぞれ移動させる駆動装置とを有し、駆動装置は、左足支持台および右足支持台をそれぞれの代表点が前後方向の位置を変化させるように往復移動させるとともに、左足支持台および右足支持台をそれぞれ足の長手方向の一つの軸の回りに回動させるように移動させることを特徴とする。
【００２３】
請求項１３の発明は、使用者の左右の足をそれぞれ載せる左足支持台および右足支持台と、左足支持台と右足支持台とを関連付けてそれぞれ移動させる駆動装置とを有し、駆動装置は、左足支持台および右足支持台をそれぞれの代表点が左右方向の位置を変化させるように往復移動させるとともに、左足支持台および右足支持台をそれぞれ足の幅方向の一つの軸の回りに回動させるように移動させることを特徴とする。
【００２４】
請求項１４の発明は、使用者の左右の足をそれぞれ載せる左足支持台および右足支持台と、左足支持台と右足支持台とを関連付けてそれぞれ移動させる駆動装置とを有し、駆動装置は、左足支持台および右足支持台をそれぞれの代表点が左右方向の位置を変化させるように往復移動させるとともに、左足支持台および右足支持台をそれぞれ上下方向の一つの軸の回りに回動させるように移動させることを特徴とする。
【００２５】
請求項１５の発明は、使用者の左右の足をそれぞれ載せる左足支持台および右足支持台と、左足支持台と右足支持台とを関連付けてそれぞれ移動させる駆動装置とを有し、駆動装置は、左足支持台および右足支持台をそれぞれの代表点が左右方向の位置を変化させるように往復移動させるとともに、左足支持台および右足支持台をそれぞれ足の長手方向の一つの軸の回りに回動させるように移動させることを特徴とする。
【００２６】
請求項１６の発明では、請求項１ないし請求項１５のいずれかの発明において、前記左足支持台と前記右足支持台との少なくとも一方における足を載せる面は、駆動装置の動作中において水平面に対して規定角度で偏移していることを特徴とする。
【００２７】
請求項１７の発明では、請求項１ないし請求項１６のいずれかの発明において、前記左足支持台と前記右足支持台と前記駆動装置とを取り付けた架台を有し、架台の上面は水平面に対して規定角度で傾斜していることを特徴とする。
【００２８】
請求項１８の発明は、使用者の左右の足をそれぞれ載せる左足支持台および右足支持台と、左足支持台と右足支持台とを関連付けてそれぞれ移動させる駆動装置とを有し、駆動装置は、左足支持台および右足支持台をそれぞれの代表点が前後方向の位置を変化させるように往復移動させ、前記左足支持台と前記右足支持台との少なくとも一方における足を載せる面は、駆動装置の動作中において水平面に対して規定角度で偏移していることを特徴とする。
【００２９】
請求項１９の発明は、使用者の左右の足をそれぞれ載せる左足支持台および右足支持台と、左足支持台と右足支持台とを関連付けてそれぞれ移動させる駆動装置と、左足支持台と右足支持台と駆動装置とを取り付けた架台とを有し、駆動装置は、左足支持台および右足支持台をそれぞれの代表点が前後方向の位置を変化させるように往復移動させ、架台の上面は水平面に対して規定角度で傾斜していることを特徴とする。
【００３０】
請求項２０の発明は、使用者の左右の足をそれぞれ載せる左足支持台および右足支持台と、左足支持台と右足支持台とを関連付けてそれぞれ移動させる駆動装置とを有し、駆動装置は、左足支持台および右足支持台をそれぞれの代表点が左右方向の位置を変化させるように往復移動させ、前記左足支持台と前記右足支持台との少なくとも一方における足を載せる面は、駆動装置の動作中において水平面に対して規定角度で偏移していることを特徴とする。
【００３１】
請求項２１の発明は、使用者の左右の足をそれぞれ載せる左足支持台および右足支持台と、左足支持台と右足支持台とを関連付けてそれぞれ移動させる駆動装置と、左足支持台と右足支持台と駆動装置とを取り付けた架台とを有し、駆動装置は、左足支持台および右足支持台をそれぞれの代表点が左右方向の位置を変化させるように往復移動させ、架台の上面は水平面に対して規定角度で傾斜していることを特徴とする。
【発明の効果】
【００３２】
請求項１の発明の構成によれば、足位置を前後方向に移動させる間に左右方向にも移動させるようにし、しかも、左足支持台と右足支持台との移動軌跡において、前端位置と後端位置との左右方向の距離を異ならせているので、足の移動方向を適正に設定することで使用者の正面方向に足位置を移動させる場合に比較すると、膝関節のせん断力を低減することができる。また、使用者の正面に対して足位置の移動方向が交差しており、このように足位置を移動させると、下腿部の筋群の伸縮が促され、足を前後に移動させる場合よりも静脈環流が促進される。その結果、ふくらはぎのむくみを除去することができるとともに、末梢部分の血流を促進することによって静脈鬱血を改善することができる。
【００３３】
一般に足を前後方向にのみ移動させると大腿直筋、内側広筋、外側広筋、大腿二頭筋、前脛骨筋、腓腹筋が刺激され、左右方向にのみ移動させると外・内転筋などが刺激されるが、前後方向と左右方向とを複合した動きであるから、これらの筋群を協調して総合的に刺激することができる。このように、多くの筋群を伸縮させることにより、筋への糖の取り込みを促進し２型糖尿病の使用者の症状改善につながる。しかも、前後や左右の動きのみではあまり伸縮しない長母指筋のような筋を刺激することが可能になる。加えて、主として下腿部の筋群を収縮させることができるから、高血圧の使用者では血圧の引き下げが期待でき、低負荷であるから心疾患のある使用者の運動療法に用いることができる。さらには、歩行運動に近い運動形態かつ軽負荷ながらも多くの筋群を刺激することができるから、脳神経を刺激する効果が高く、脳機能に障害を持つ使用者や脳手術後の使用者がリハビリに用いると、高い回復効果が期待できる。
【００３４】
請求項２の発明の構成によれば、使用者の足の移動軌跡が正面方向にＶ字状をなすから、膝関節のせん断力が小さくなる。
【００３５】
請求項３の発明の構成によれば、使用者の足の移動軌跡が正面方向に逆Ｖ字状をなすから、下腿部だけではなく大腿部の筋群の伸縮量を大きくすることができる。
【００３６】
請求項４の発明の構成によれば、使用者の前後方向の重心位置を定位置に保つことができるものであり、使用者の上体に加速度が作用せず、上体のバランスが崩れにくいから、バランス機能の衰えた使用者でも使用することができる。また、左右の足位置が交互に前後するとともに、左足支持台と右足支持台との移動軌跡の前端位置と後端位置との左右方向の距離が異なることによって、体幹に捻れを生じさせることができ、内蔵を刺激して内蔵の血流を増加させることができる。
【００３７】
請求項５の発明の構成によれば、左足支持台と右足支持台とを一つの平面内で移動させるから、簡単な機構で実現することができる。
【００３８】
請求項６の発明の構成によれば、左足支持台と右足支持台とを直線上で移動させるから、簡単な機構で実現することができる。
【００３９】
請求項７の発明の構成によれば、左足支持台と右足支持台とを足の幅方向の一つの軸周りに回動可能としているから、足関節の角度を変化させることができ、背屈の角度に設定すればアキレス腱を伸長させることができ、また背屈と底屈とを繰り返すようにすればふくらはぎの筋群を伸縮させて静脈環流の促進になる。しかも、背屈と底屈とともに足位置を移動させるので、重心移動とともに足関節の角度変化を生じさせることで、足裏に作用する体重負荷の変化によりさらに大きく筋収縮を誘発することができる。
【００４０】
請求項８の発明の構成によれば、左足支持台と右足支持台とを上下方向の一つの軸周りに回動可能としているから、適宜の角度に設定することにより膝関節のせん断力を小さくすることができ、また左足支持台と右足支持台との位置移動に伴って角度を変化させると股関節の回転を促して股関節の柔軟性を高めることができる。
【００４１】
請求項９の発明の構成によれば、左足支持台と右足支持台とを足の長手方向の一つの軸周りに回動可能としているから、適宜の角度に設定することによりオー脚やエックス脚の使用者に対応しやすくなり、左足支持台と右足支持台との位置移動に伴って角度を変化させるとオー脚やエックス脚の原因になる筋群を強化して矯正することが可能になる。
【００４２】
請求項１０ないし請求項１２の発明の構成によれば、足を前後方向に移動させることにより大腿直筋、内側広筋、外側広筋、大腿二頭筋、前脛骨筋、腓腹筋が刺激され、筋への糖の取り込みを促進し２型糖尿病の使用者の症状改善につながる。
【００４３】
請求項１０の発明の構成によれば、左足支持台と右足支持台とを足の幅方向の一つの軸周りに回動可能としているから、足関節の角度を変化させることができ、背屈の角度に設定すればアキレス腱を伸長させることができ、また背屈と底屈とを繰り返すようにすればふくらはぎの筋群を伸縮させて静脈環流の促進になる。しかも、背屈と底屈とともに足位置を移動させるので、重心移動とともに足関節の角度変化を生じさせることで、足裏に作用する体重負荷の変化によりさらに大きく筋収縮を誘発することができる。
【００４４】
請求項１１の発明の構成によれば、左足支持台と右足支持台とを上下方向の一つの軸周りに回動可能としているから、適宜の角度に設定することにより膝関節のせん断力を小さくすることができ、また左足支持台と右足支持台との位置移動に伴って角度を変化させると股関節の回転を促して股関節の柔軟性を高めることができる。
【００４５】
請求項１２の発明の構成によれば、左足支持台と右足支持台とを足の長手方向の一つの軸周りに回動可能としているから、適宜の角度に設定することによりオー脚やエックス脚の使用者に対応しやすくなり、左足支持台と右足支持台との位置移動に伴って角度を変化させるとオー脚やエックス脚の原因になる筋群を強化して矯正することが可能になる。
【００４６】
請求項１３ないし請求項１５の発明の構成によれば、足を左右方向に移動させることにより外・内転筋などが刺激され、筋への糖の取り込みを促進し２型糖尿病の使用者の症状改善につながる。
【００４７】
請求項１３の発明の構成によれば、左足支持台と右足支持台とを足の幅方向の一つの軸周りに回動可能としているから、足関節の角度を変化させることができ、背屈の角度に設定すればアキレス腱を伸長させることができ、また背屈と底屈とを繰り返すようにすればふくらはぎの筋群を伸縮させて静脈環流の促進になる。しかも、背屈と底屈とともに足位置を移動させるので、重心移動とともに足関節の角度変化を生じさせることで、足裏に作用する体重負荷の変化によりさらに大きく筋収縮を誘発することができる。
【００４８】
請求項１４の発明の構成によれば、左足支持台と右足支持台とを上下方向の一つの軸周りに回動可能としているから、適宜の角度に設定することにより膝関節のせん断力を小さくすることができ、また左足支持台と右足支持台との位置移動に伴って角度を変化させると股関節の回転を促して股関節の柔軟性を高めることができる。
【００４９】
請求項１５の発明の構成によれば、左足支持台と右足支持台とを足の長手方向の一つの軸周りに回動可能としているから、適宜の角度に設定することによりオー脚やエックス脚の使用者に対応しやすくなり、左足支持台と右足支持台との位置移動に伴って角度を変化させるとオー脚やエックス脚の原因になる筋群を強化して矯正することが可能になる。
請求項１６ないし請求項２１の発明の構成によれば、足を載せる面が駆動装置の駆動中において水平面に対して規定角度で偏移しているから、前後方向に偏移していれば、下腿部の特定部位の筋群を常に緊張させた状態で運動することになり、当該筋群の強化を促進することができ、左右方向に偏移していれば、オー脚やエックス脚のような脚の内外方向の歪みを矯正するように傾斜させた状態で運動させることで、歪みを矯正する筋群の強化を促進することができる。
【００５０】
とくに、請求項１７、１９、２１の発明の構成によれば、また、架台の上面を傾斜させるから左足支持台や右足支持台を個別に傾斜させる構成に比較すると、簡単な構造で実現することができる。
【００５１】
請求項１８、１９の発明の構成によれば、足を前後方向に移動させることにより大腿直筋、内側広筋、外側広筋、大腿二頭筋、前脛骨筋、腓腹筋が刺激され、筋への糖の取り込みを促進し２型糖尿病の使用者の症状改善につながる。
【００５２】
請求項２０、２１の発明の構成によれば、足を左右方向に移動させることにより外・内転筋などが刺激され、筋への糖の取り込みを促進し２型糖尿病の使用者の症状改善につながる。
【発明を実施するための最良の形態】
【００５３】
（実施形態１）
本発明の基本構成として図２および図３に示す構成例を説明する。本実施形態では、床上に載置して使用する構成を例示するが、床に埋め込んで使用する構成を採用することもできる。定位置に固定する構成を採用するか、位置移動が可能な構成を採用するかは適宜に選択することができる。また、以下に説明する装置は、使用者が座席に着座した状態で使用することが可能であるが、基本的には使用者が立った状態で使用することを想定している。
【００５４】
本実施形態では、図２および図３に示すように、床上に載置するためのベース板１ａを備える。ベース板１ａは長方形状のものを図示しているが、ベース板１ａの外周形状にはとくに制限はない。以下では、説明を簡単にするために、ベース板１ａを床上に載置した状態でベース板１ａの上面が床面と平行になるものとする。したがって、図２および図３における上下が使用時の上下になる。
【００５５】
ベース板１ａの上方には上板１ｂが配設され、ベース板１ａと上板１ｂとを結合することにより架台としてのハウジング１が形成される。ハウジング１は直方体状に形成することを想定しているが、内部に収納用の空間を備えるものであればハウジング１の外観形状として円筒状、多角筒状などを採用することもできる。以下では、説明を簡単にするために、ハウジング１を床上に載置した状態でハウジング１の上面（上板１ｂの上面）が床面と平行になるものとする。なお、床に埋め込んで使用する構成では、ハウジング１として上板１ｂを除く部位を軸組のみとした構造を採用することが可能である。
【００５６】
ベース板１ａの上には、使用者の左右の足をそれぞれ載せる左足支持台２ａおよび右足支持台２ｂと、左足支持台２ａおよび右足支持台２ｂの位置をそれぞれ移動させる駆動装置３とが配置される。以下の説明では、図２および図３において矢印Ｘの向きを前方とする。また、他の図においても矢印Ｘを記載している場合には、その向きが前方になる。つまり、矢印Ｘにより示す前方は、使用者の前方にほぼ一致する。
【００５７】
上板１ｂには左足支持台２ａおよび右足支持台２ｂをそれぞれ露出させる２個の開口窓１１ａ，１１ｂが厚み方向に貫設される。各開口窓１１ａ，１１ｂは、それぞれ矩形状に開口する。ただし、各開口窓１１ａ，１１ｂは、長手方向に沿った中心線がハウジング１の前後方向に対して交差しており、両中心線間の距離がハウジング１の前端側で後端側よりも大きくなるように形成してある。開口窓１１ａ，１１ｂの長手方向がベース板１ａの前後方向に対してなす角度は適宜に設定される。この角度は、たとえば、５〜１５度の範囲に設定される。この角度は、左側の開口窓１１ａについては後端を中心にして左回りの角度であり、右側の開口窓１１については後端を中心にして右回りの角度である。
【００５８】
各開口窓１１ａの開口面積は左足支持台２ａの上面面積よりも大きく、開口窓１１ｂの開口面積は右足支持台２ｂの上面面積よりも大きく形成されている。つまり、左足支持台２ａおよび右足支持台２ｂは各開口窓１１ａ，１１ｂの面内で移動可能になっている。
【００５９】
開口窓１１ａ，１１ｂの長手方向は、左足支持台２ａおよび右足支持台２ｂの長手方向に一致させてあり、左足支持台２ａおよび右足支持台２ｂに足を載せる際には左足支持台２ａおよび右足支持台２ｂの長手方向に足の長手方向の中心線を略一致させる。上述のように開口窓１１ａ，１１ｂの長手方向の中心線がベース板１ａの前後方向に対してなす角度を５〜１５度の範囲に設定すると、立位において脚部の筋群を弛緩させた状態（リラックスした状態）で足を左足支持台２ａおよび右足支持台２ｂに載せることができる。
【００６０】
各開口窓１１ａ，１１ｂの幅方向の両側部には、図４に示すように、スライド溝１２が開口窓１１ａ，１１ｂの内側に臨む形で開口する。スライド溝１２には、足置カバー２２に形成したフランジ部２２ｂがスライド可能に挿入される。足置カバー２２は、使用者が足を載せるための足置板２１とともに左足支持台２ａおよび右足支持台２ｂを構成するものであり、矩形筒状に形成された本体部２２ａを有し、フランジ部２２ｂは本体部２２ａの一方の開口面（上面）に沿って本体部２２ａの全周に亘って延設されている。足置カバー２２の本体部２２ａの内側には下部において取付板２２ｃが一体に形成される。
【００６１】
本体部２２ａは長手方向の寸法および幅方向の寸法が開口窓１１ａ，１１ｂよりも小さく、フランジ部２２ｂは長手方向の寸法および幅方向の寸法が開口窓１１ａ，１１ｂよりも大きく形成されている。さらに、スライド溝１２の底間の距離はフランジ部２２ｂの先端縁間の距離よりも大きく形成される。したがって、足置カバー２２は、幅方向においてはスライド溝１２の範囲内において移動可能になり、また長手方向においても移動可能になる。
【００６２】
足置板２１は、足置カバー２２における本体部２２ａの内周縁よりもやや小さい矩形板状に形成されており、使用者の足全体を載せることができる寸法に形成される。また、足置板２１の上面には摩擦係数を大きくする材料ないし形状が採用される。足置板２１の下面周部にはそれぞれコ字状に折曲されたカバー体２１ａ，２１ｂが一体に設けられる。さらに、足置板２１の下面であってカバー体２１ａ，２１ｂに囲まれる部位には足置板２１の幅方向に離間した一対の軸受２１ｃが足置板２１と一体に設けられる。
【００６３】
足置カバー２２に設けた取付板２２ｃの上面には上方に開放された断面コ字状の軸受板２３が固定される。足置板２１に設けた軸受２１ｃは、軸受板２３の各脚片２３ａの外側面に当接する。さらに、軸受板２３の両脚片２３ａおよび両軸受２１ｃを通る軸部２４が設けられる。したがって、軸部２４は足置板２１の幅方向に沿って配置され、足置板２１は、足置カバー２２に対して長手方向の前後が上下するように軸部２４の周りに回動可能になる。上述したカバー体２１ａ，２１ｂは、足置板２１が足置カバー２２に対して回動する際に、足置板２１の下面と足置カバー２２との間に隙間が生じるのを防止するために設けられている。
【００６４】
足置カバー２２に設けた取付板２２ｃの下面には下面に開放された断面コ字状の台車１５が取り付けられる。台車１５の両脚片１５ａの外側面には各２個ずつの車輪１６が取り付けられる。ベース板１ａの上面には左足支持台２ａと右足支持台２ｂとに対してそれぞれ２本ずつのレール１７が固定されており、レール１７の上面に設けたレール溝１７ａの中で車輪１６が転動するように、レール１７上に台車１５が載置される。また、レール１７の上面には車輪１６がレール溝１７ａから脱落するのを防止するために、脱輪防止板１８が固定される（図５参照）。
【００６５】
レール１７の長手方向はハウジング１に設けた開口窓１１ａ，１１ｂの長手方向とは異なる方向としてある。上述したように開口窓１１ａ，１１ｂは長手方向の中心線がハウジング１の前端側で後端側よりも大きくなるように交差しており、レール１７の長手方向もハウジング１の前後方向に対して同様に交差している。
【００６６】
ただし、レール１７ではハウジング１の前後方向に対する角度が開口窓１１ａ，１１ｂよりもさらに大きくなっている。たとえば、ハウジング１の前後方向に対する角度が、開口窓１１ａ，１１ｂの長手方向で１５度とすれば、レール１７の長手方向は４５度などに設定される。すなわち、左足支持台２ａおよび右足支持台２ｂに足を載せ、開口窓１１ａ，１１ｂの長手方向に足の中心線を一致させた状態において、レール１７に沿って左足支持台２ａおよび右足支持台２ｂを移動させることにより、足の位置を変化させても膝に作用するせん断力大きくなるのを防止する方向に、レール１７の長手方向が設定される。
【００６７】
上述の構成によって、左足支持台２ａおよび右足支持台２ｂはレール１７の長手方向に沿って移動することが可能になる。また、レール１７の長手方向は開口窓１１ａ，１１ｂの長手方向の中心線に対して交差しているから、足置板２１および足置カバー２２は開口窓１１ａ，１１ｂの中で長手方向に対して交差した方向に移動することになる。
【００６８】
なお、本実施形態では、望ましい動作として、左足支持台２ａおよび右足支持台２ｂが前後方向と左右方向とを複合した移動経路で移動する例を示しているが、レール１７を配置する方向により左足支持台２ａおよび右足支持台２ｂを前後方向や左右方向に移動させることも可能である。
【００６９】
一方、ベース板１ａと上板１ｂとの間に形成されるハウジング１の収納空間には、左足支持台２ａおよび右足支持台２ｂのハウジング１に対する位置移動を可能にする駆動装置３が収納される。駆動装置３は、図６に示すように、駆動力を発生させる駆動源としてのモータ３１と、モータ３１の回転駆動力を左足支持台２ａおよび右足支持台２ｂにそれぞれ伝達するように２系統に分離する系統分離部３２と、駆動力を用いて台車１５をレール１７に沿って往復移動させる往復駆動部３３とを有する。本実施形態では、図６（ａ）のように系統分離部３２により駆動力を分離し、分離された駆動力を往復駆動部３３に伝達する構成を採用しているが、図６（ｂ）のように往復駆動部３３により得られる往復駆動の駆動力を系統分離部３２で２系統に分離することも可能である。
【００７０】
駆動装置３について、さらに具体的に説明する。系統分離部３２は、モータ３１の出力軸３１ａに連結されたウォーム３２ａと、ウォーム３２ａに噛合する一対のウォームホイール３２ｂとを備える。ウォーム３２ａおよび２個のウォームホイール３２ｂはベース板１ａに固定されるギアボックス３４に収納される。ギアボックス３４は、上面に開口を有するギアケース３４ａと、ギアケース３４ａの開口面に覆着される蓋板３４ｂとにより形成される。ギアケース３４ａと蓋板３４ｂとの間にはウォーム３２ａの長手方向の両端部を支承する一対の軸受３２ｃが取り付けられる。
【００７１】
この構成によって、１個のモータ３１の回転力を２個のウォームホイール３２ｂにより２系統の回転力に分離することができ、各系統の回転力を左足支持台２ａと右足支持台２ｂとの駆動力として用いることができる。また、系統分離部３２では、ウォーム３２ａとウォームホイール３２ｂとを用いることによりモータ３１の回転を減速する機能も有している。
【００７２】
ウォームホイール３２ｂには、ギアケース３４ａと蓋板３４ｂとに保持される回転軸３５が挿通され、ウォームホイール３２ｂの回転に伴って回転軸３５が回転するように、ウォームホイール３２ｂと回転軸３５とを結合してある。回転軸３５の上端部には断面が非円形状（図示例では矩形状）に形成された結合部３５ａが形成される。
【００７３】
モータ３１は、ギアケース３４ａに設けた口受部３４ｃとベース板１ａに固定した口受板１３ａとに載置され、ギアケース３４ａに覆着される蓋板３４ｂと口受板１３ａに結合される押さえ板１３ｂとによりベース板１ａに固定される。
【００７４】
図７に示すように、往復駆動部３３は、回転軸３５の結合部３５ａに一端部が結合されるクランク板３６と、クランク板３６にクランク軸３７を介して結合されたクランクロッド３８とを備える。クランク軸３７の一端部はクランク板３６に固定され、他端部はクランクロッド３８の一端部に保持された軸受３８ａに保持される。つまり、クランクロッド３８の一端部はクランク板３６に対して回動自在に結合される。クランクロッド３８の他端部は台車１５に対して軸体３８ｂを用いて結合され、クランクロッド３８の他端部は台車１５に対して回動自在に結合される。
【００７５】
上述の構成から明らかなように、クランクロッド３８は、ウォームホイール３２ｂの回転力を台車１５の往復移動に変換する変換機構として機能する。クランクロッド３８はウォームホイール３２ｂごとに設けられ、台車１５は左足支持台２ａと右足支持台２ｂとにおいて個別に設けられているから、クランクロッド３８は、ウォームホイール３２ｂの回転力をそれぞれ左足支持台２ａと右足支持台２ｂとの往復移動に変換する変換機構として機能する。
【００７６】
台車１５は上述したように車輪１６とレール１７とにより移動経路が拘束されているから、ウォームホイール３２ｂの回転に伴って台車１５がレール１７の長手方向に沿って往復移動する。つまり、モータ３１の回転がウォーム３２ａおよびウォームホイール３２ｂを介してクランク板３６に伝達され、さらに、クランク板３６に結合されたクランクロッド３８により台車１５がレール１７に沿った直線上で往復移動を行うのである。その結果、台車１５に結合されている足置カバー２２がレール１７に沿って往復移動する。つまり、左足支持台２ａと右足支持台２ｂとがレール１７の長手方向において往復移動する。
【００７７】
本実施形態では、ウォーム３２ａと２個のウォームホイール３２ｂとにより駆動力を２系統に分離し、各系統ごとに左足支持台２ａと右足支持台２ｂとの駆動力として用いるから、駆動装置３により左足支持台２ａと右足支持台２ｂとが関連付けて駆動される。ここで、各ウォームホイール３２ｂがウォーム３２ａに噛合する位置を１８０度異ならせてあり、したがって左足支持台２ａが移動範囲の後端に位置するときには、右足支持台２ｂは移動範囲の前端に位置する。左足支持台２ａの移動範囲における後端は左足支持台２ａの移動範囲の右端であって、右足支持台２ｂの移動範囲における前端は右足支持台２ｂの移動範囲の右端であるから、左右方向においては、左足支持台２ａおよび右足支持台２ｂは同じ向きに移動することになる。
【００７８】
なお、上述の構成から明らかなように、ウォーム３２ａとウォームホイール３２ｂとを噛み合わせる位置に応じて、左足支持台２ａと右足支持台２ｂとの移動における位相差を適宜に付与することが可能である。左足支持台２ａと右足支持台２ｂとの上に立って立位で使用する場合には、本実施形態のように１８０度の位相差を付与すれば、使用者の前後方向の重心移動が少なくなるからバランス機能が低下している使用者でも使用できる。あるいは、位相差を持たないようにすれば、使用者の前後方向の重心移動が生じるから、単に脚部の筋群の運動になるだけではなく、バランス機能を保つための腰背部などの筋群の運動にも役立つ。
【００７９】
ここで、ハウジング１に固有のフレーム座標系を設定し、ハウジング１の上面に直交する方向を上下方向とする。また、上下方向に直交する面内であって、使用者が左足支持台２ａおよび右足支持台２ｂに左右の足を載せた状態での使用者の前方にほぼ一致する向きをハウジング１に設定したフレーム座標系における前方とする。上下方向に直交する面内であって、前後方向に直交する方向、つまり使用者の左右にほぼ一致する方向を左右方向とする。
【００８０】
上述したように、足置板２１の上面（つまり、左足支持台２ａおよび右足支持台２ｂの上面）には、摩擦係数を大きくする材料ないし形状を採用しているから、左足支持台２ａおよび右足支持台２ｂがハウジング１に対する位置移動を行う際に、左足支持台２ａおよび右足支持台２ｂに対して使用者の足の位置がずれるのを防止することができる。足の位置ずれを防止する構成として、左足支持台２ａおよび右足支持台２ｂに対して足を固定する構成を採用してもよい。たとえば、スリッパのように足の甲を止める構成、サンダルのように足の甲と踵を止めるストラップを用いることができ、また靴を履いて使用することを想定している場合には靴を固定するビンディングを用いることが可能である。
【００８１】
左足支持台２ａおよび右足支持台２ｂに対して足を載せる位置を固定する構成を採用するとともに、左足支持台２ａおよび右足支持台２ｂに対する足位置を調節可能にしておけば（つまり、左足支持台２ａおよび右足支持台２ｂに対して足位置を固定する部材の前後位置を調節可能にしておけば）、足の移動量について、停止位置から前端位置までの移動量と後端位置までの移動量とに差を与えることが可能になる。
【００８２】
左足支持台２ａおよび右足支持台２ｂには、ハウジング１と同様にそれぞれ固有の支持台座標系が設定される。したがって、支持台座標系には左足系と右足系との２個の座標系が設定される。左足支持台２ａと右足支持台２ｂとに設定される支持台座標系は、上面に直交する方向が上下方向であり、上下方向を直交する面内において踵から爪先に向かう向きにほぼ一致する向きが前方になる。上下方向に直交する面内であって、前後方向に直交する方向、つまり足の幅方向にほぼ一致する方向を左右方向とする。要するに、足の長手方向が前後方向になり、足の幅方向が左右方向になる。
【００８３】
また、以下では左足支持台２ａおよび右足支持台２ｂの移動を記述するために、左足支持台２ａおよび右足支持台２ｂに代表点を規定する。左足支持台２ａおよび右足支持台２ｂの上面は、後述するように、ハウジング１の上面に対する傾斜角度が変化可能であるから、代表点には、ハウジング１に対する傾斜角度が変化しても位置が変化しない点を採用する。代表点は複数考えられるが、どれを用いてもよく、左足支持台２ａおよび右足支持台２ｂの外に設定してもよい。代表点をこのように規定することにより、左足支持台２ａおよび右足支持台２ｂの摺動移動の移動経路を一元的に記述することができる。
【００８４】
駆動装置３は、上述した構成から明らかなように、左足支持台２ａおよび右足支持台２ｂについて、ハウジング１に設定したフレーム座標系での前後方向の位置と左右方向の位置とを変化させる。また、上述した構成例では、左足支持台２ａと右足支持台２ｂとを個々に移動させるのではなく、駆動源であるモータ３１から左足支持台２ａと右足支持台２ｂとに駆動力を伝達する伝達機構（系統分離部３２、往復駆動部３３）により、左足支持台２ａと右足支持台２ｂとを互いに関連付けて移動させている。左足支持台２ａと右足支持台２ｂとの動作を関連付けていることにより、動きのパターンに関する自由度は少なくなるが駆動源の個数を少なくすることが可能である。一方、複数個の駆動源を設ける場合には、各駆動源の動作に関連付けを行うことで、左足支持台２ａと右足支持台２ｂとの動作を関連付けることができる。また、両者を複合した駆動装置３を構成することも可能である。
【００８５】
ところで、左足支持台２ａおよび右足支持台２ｂは、それぞれハウジング１の上面に対する傾斜角度が変化可能であり、駆動装置３は、左足支持台２ａおよび右足支持台２ｂの代表点を前後方向および左右方向に移動させるだけではなく傾斜角度も変化させるように構成されている。ハウジング１の上面に対する左足支持台２ａおよび右足支持台２ｂの傾斜角度は、左足支持台２ａおよび右足支持台２ｂにそれぞれ設定した支持台座標系において、代表点を通る前後方向の軸、左右方向の軸の少なくとも１つの軸周りに変化可能とされる。さらに、傾斜角度ではないが、上下方向の軸周りにも角度を変化可能としてもよい。
【００８６】
支持台座標系における前後方向の軸周りに傾斜角度を調節すれば、背屈時にはアキレス腱が伸長されるから足首の可動範囲を広げることができ、底屈時には爪先に力がかかることによって外反母趾の軽減につながる。また、前後方向の軸周りに傾斜角度を時間経過に伴って変化させれば、腓腹筋やひらめ筋を主とする下腿部の筋群を伸縮させることができる。これらの筋群を伸縮させると、脚部における静脈環流を増加させることになり、脚部のむくみの解消につながる。
【００８７】
左足支持台２ａと右足支持台２ｂとにそれぞれ設定した支持台座標系における左右方向の軸周りに傾斜角度を調節すれば、いわゆるオー脚、エックス脚である使用者が使用する際に脚の曲がりを矯正した状態で使用させることができる。さらに上下方向の軸回りで時間経過に伴って角度を変化させれば、股関節が回転するから股関節の柔軟性を高めることができ、あるいはまた上下方向の軸回りの角度を調節すれば、膝関節にせん断力が作用しない位置で使用することが可能になる。
【００８８】
以下では、フレーム座標系における前後方向をＸ方向、左右方向をＹ方向、上下方向をＺ方向とし、左足支持台２ａと右足支持台２ｂとの動きのパターンおよび駆動装置３の動作について説明する。また、左足支持台２ａと右足支持台２ｂとにそれぞれ設定した支持台座標系における前後方向をｘ方向、左右方向をｙ方向、上下方向をｚ方向とする。したがって、ハウジング１の上面はＸＹ平面に平行な面であって、左足支持台２ａおよび右足支持台２ｂの代表点はＸＹ平面に平行な面内で移動することになる。左足支持台２ａおよび右足支持台２ｂは、支持台座標系のｙ方向をフレーム座標系のＹ方向と同じ方向に保った状態で移動し、左足支持台２ａおよび右足支持台２ｂは支持台座標系におけるｙ方向の軸Ａｙ（図８参照）周りについてのみ角度が変化可能であるものとする。つまり、左足支持台２ａと右足支持台２ｂとは軸Ａｙの周りで回転する。
【００８９】
装置の使用にあたっては、左足支持台２ａおよび右足支持台２ｂが停止位置に位置している初期位置において、左右の足をそれぞれ左足支持台２ａと右足支持台２ｂとに載せて左足支持台２ａおよび右足支持台２ｂの上に立ち、駆動装置３の運転を開始させる。駆動装置３の運転開始を指示するスイッチは、手操作するものをハウジング１に設けたのでは操作時にかがまなければならず、使い勝手が悪くなる。そこで、赤外線を用いたワイヤレスリモコンやハウジング１から引き出した電線に接続されたワイヤードリモコンにスイッチを設けるのが望ましい。また、左足支持台２ａと右足支持台２ｂとの一方に足で操作するスイッチを設けるか、あるいは左足支持台２ａと右足支持台２ｂに人が載ったことを検知し一定時間後に運転を開始する自動スイッチを設けてもよい。
【００９０】
また、駆動装置３の動作を開始するときと停止するときとにおいて、速度変化が大きいと使用者がバランスを大きく崩すおそれがあるから、駆動装置３の動作を開始するときには駆動装置３を徐々に加速し、駆動装置３を停止するときには駆動装置３を徐々に減速するのが望ましい。さらに、停止位置では、左足支持台２ａと右足支持台２ｂとを水平位置で停止するか、左足支持台２ａと右足支持台２ｂとの軸Ａｙの周りの角度が対称となる位置で停止するようにすることで、停止時に利用者の体幹が傾かない安定した位置で左足支持台２ａと右足支持台２ｂとに乗降することができる。
【００９１】
上述した初期位置では、左足支持台２ａおよび右足支持台２ｂは前後方向において同位置に位置する。つまり、初期位置では左足支持台２ａおよび右足支持台２ｂの代表点が左右方向の一直線上に並ぶ。したがって、初期位置で使用者が左足支持台２ａおよび右足支持台２ｂの上に載ると、使用者の重心から鉛直方向に下ろした直線は左足支持台２ａと右足支持台２ｂとの間でほぼ中央を通ることになる。図１、図８に使用者の重心から鉛直方向に下ろした直線とハウジング１の上面との交点を点Ｇで表している。
【００９２】
駆動装置３は、左足支持台２ａおよび右足支持台２ｂをそれぞれ前後方向に位置を変化させるとともに、前後方向の位置変化に伴って左右方向の位置も変化させる。また、駆動装置３は、左足支持台２ａと右足支持台２ｂとを、前後方向と左右方向とにおいて設定した範囲内で周期動作させる。ここに、周期動作とは同じ位置を周期的に通ることを意味している。
【００９３】
本実施形態では、図１に示すように、左足支持台２ａと右足支持台２ｂとの代表点の移動軌跡Ｌａ，Ｌｂが、それぞれＸＹ平面に平行な面内の直線上を往復移動する動作パターンを採用している。左足支持台２ａの移動軌跡Ｌａと右足支持台２ｂの移動軌跡Ｌｂとは、前端位置における左右方向の距離が後端位置における左右方向の距離よりも大きくなりＶ字状もしくは逆八字状をなすように設定される。前端位置は初期位置よりも前方に位置し、後端位置は初期位置よりも後方に位置するように移動軌跡Ｌａ，Ｌｂが設定される。
【００９４】
また、使用者の重心位置がフレーム座標系の前後方向（Ｘ方向）において定位置に保たれるように、つまり点Ｇの位置がＸ方向に移動しないように、左足支持台２ａおよび右足支持台２ｂを前後方向において互いに逆位相で移動させる。前後方向における逆位相とは、左足支持台２ａが前端位置のときに右足支持台２ｂが後端位置であり、左足支持台２ａが後端位置のときに右足支持台２ｂが前端位置であることを意味する。
【００９５】
左足支持台２ａおよび右足支持台２ｂの移動軌跡Ｌａ，Ｌｂが上述のようにＶ字状もしくは逆八字状をなすように規制され、かつ前後方向において互いに逆位相で移動するから、左足支持台２ａおよび右足支持台２ｂは左右方向においても逆位相で移動する。つまり、左足支持台２ａが左向きに移動する際に右足支持台２ｂが右向きに移動し、左足支持台２ａが右向きに移動する際に右足支持台２ｂが左向きに移動する。
【００９６】
したがって、左足支持台２ａと右足支持台２ｂとの代表点について、図８に示すように、初期位置をｇ１，ｄ１とし、前端位置をｇ２，ｄ２とし、後端位置をｇ３，ｄ３とすると、左足支持台２ａがｇ１→ｇ２→ｇ１→ｇ３→ｇ１という経路で移動するときに、右足支持台２ｂはｄ１→ｄ３→ｄ１→ｄ２→ｄ１という経路で移動することになる。
【００９７】
上述のように、前端位置が初期位置よりも前方であり、かつ後端位置が初期位置よりも後方であって、しかも使用者の重心位置が定位置に保たれるように左足支持台２ａと右足支持台２ｂとを逆位相で移動させているから、足位置の変化は歩行運動に近い位置変化になり、少なくとも下腿部においては歩行時と同様の筋群を伸縮させることができる。また、後端位置が初期位置よりも後方に位置し、後端位置の足位置は使用者の重心よりも後方になるから、後端位置では大腿部の後側から臀部の筋肉を緊張させることができる。
【００９８】
一般に歩行運動では、足位置は前後方向を主として移動することになるが、本実施形態の装置を使用すれば、前後方向と左右方向とを複合した動きになるから、下腿部と大腿部との筋群が協調して伸縮し、多くの筋を関連付けて伸縮させることによって、他動運動かつ軽負荷ながらも筋に取り込む糖量が多くなり、２型糖尿病の改善効果が期待できる。
【００９９】
ところで、左足支持台２ａと右足支持台２ｂとが前後方向にのみ移動する場合は、使用者の身体には股関節と膝関節と足関節とを屈伸させる反射しか生じないから、主として下肢と臀部との筋刺激しか得られない。これに対して、本実施形態では、前後方向だけではなく左右方向の移動が付加され、Ｖ字状もしくは逆八字状の移動軌跡Ｌａ，Ｌｂであって、かつ逆位相で移動するから、使用者の体幹が捻れる結果、内臓に刺激を与えることができる。しかも、前後方向と左右方向とを複合した動作によって、いずれか一方の動作のみを行う場合よりも多くの筋（内転筋、大腿直筋、内側広筋、外側広筋、大腿二頭筋、半腱様筋、半膜様筋など）に刺激を与えることができる。
【０１００】
使用者の体幹に捻れを生じさせるために、上述したＶ字状もしくは逆八字状の移動軌跡Ｌａ，Ｌｂではなく、逆Ｖ字状もしくは八字状の移動軌跡Ｌａ，Ｌｂを採用してもよい。つまり、左足支持台２ａおよび右足支持台２ｂの代表点の移動軌跡Ｌａ，Ｌｂにおいて、前端位置における左右方向の距離が後端位置における左右方向の距離よりも小さくなるように、左足支持台２ａおよび右足支持台２ｂを移動させる構成を採用することもできる。この場合も、前後方向と左右方向とにおいて左足支持台２ａおよび右足支持台２ｂを互いに逆位相で移動させる。この動作でも、上述した構成と同様の効果が期待できる。
【０１０１】
Ｖ字状と逆Ｖ字状との場合について、左足支持台２ａおよび右足支持台２ｂを互いに逆位相で移動させたときの筋活動率（脚部全体）と膝関節に作用するせん断力（単位はＮ）との関係を図９に示す。図９において符合イ、ロを付した十字形がそれぞれＶ字状の場合と逆Ｖ字状の場合を示しており、十字の交差点が平均値を示している。横方向の直線の範囲は筋活動率の分散、縦方向の直線の範囲はせん断力の分散を示している。膝関節に作用するせん断力は、Ｖ字状でも逆Ｖ字状でも大きな変化はなく、Ｖ字状のほうが筋活動率は大きいことがわかる。したがって、筋力を強化するにはＶ字状の動作のほうがよいと言える。
【０１０２】
また、Ｖ字状の移動軌跡Ｌａ，Ｌｂになる動作を採用した場合について、前後方向に対する角度を変化させた場合の筋活動率と膝関節に作用するせん断力のとの関係を図１０に示す。角度は前後方向を０度、左右方向を９０度とする。この角度は、左足については左周りの角度を意味し、右足については右回りの角度を意味する。図１０において符合イ、ロ、ハ、ニを付した十字形はそれぞれ、０度、３０度、４５度、７５度の場合を示している。この角度範囲では、膝に作用するせん断力および筋活動率に大きな差は生じないものの角度の増加に伴って両者ともにやや増加する傾向がある。したがって、膝痛がなければ角度を大きくして筋活動率を高め、膝痛があれば角度を小さくすればよい。なお、９０度では６０度と同程度の筋活動率ながら膝関節に作用するせん断力が７５度と同程度になる。図１０では、脚部全体の筋活動率を評価しているが、角度を変化させると各部位の筋活動率も変化するという知見が得られる。
【０１０３】
図１１は脚部の各部位における代表的な筋について、筋活動率と角度との関係を示したものである。各筋について角度を５段階に変化させた場合を示しており、各筋ごとに左から０度（前後方向）、１５度、４５度、６０度、９０度（左右方向）の場合を示している。図１１に示すように、概して言えば、臀部および内外転に必要な筋群（例として大腿筋膜張筋を示している）は、角度が大きくなるほど筋活動率が高くなる。一方、下腿部の筋群（例として腓腹筋を示している）は、角度が４５度前後で筋活動率が高くなる。なお、足指に関連する筋群（例として長指屈筋、長指伸筋を示している）は、角度が小さくなるほど筋活動率が高くなる傾向がある。
【０１０４】
ところで、左足支持台２ａおよび右足支持台２ｂを同位相で移動させた場合と逆位相で移動させた場合とでは、膝関節へのせん断力が変化する。図１２にＶ字状の移動軌跡を採用した場合について、位相とせん断力との関係を示している。図１２の左側が同位相の場合であり右側が逆位相の場合である。両者を比較すると、逆位相のほうがせん断力が小さくなっていることがわかる。したがって、Ｖ字状の移動軌跡を採用する場合であって、膝痛のある使用者の場合には逆位相の動作のほうが望ましいと言える。
【０１０５】
図１３（ａ）（ｂ）は、それぞれ角度に加えて位相を変化させた場合の筋活動率の変化を示している。図１３（ａ）は前後方向の動きに関係する屈曲・伸展筋群の筋活動率を示し、図１３（ｂ）は左右方向の動きに関係する内外転筋群の活動率を示している。また、いずれも左半分の３個が左足支持台２ａおよび右足支持台２ｂを同位相で移動させた場合、右半分の３個が左足支持台２ａおよび右足支持台２ｂを逆位相で移動させた場合を示し、３個の内訳は左から０度、９０度、−４５度の場合を示している。ここに、−４５度は移動軌跡Ｌａ，Ｌｂが逆Ｖ字状（八字状）であることを意味している。条件としては、２Ｈｚ（右足、左足がともに１秒間に２往復）で移動距離（振幅）が３ｃｍの場合の筋電量を１とし、１Ｈｚで振幅が３ｃｍの場合について測定した。
【０１０６】
図１３の結果を見ればわかるように、同位相か逆位相かにかかわらず−４５度を選択すると、屈曲・伸展筋群および内外転筋群の筋活動率をともに高めることができる。同位相の場合、図１３によれば、内外転群の筋活動率が他の角度を選択する場合よりやや劣るが、有意の差というほどではない。したがって、逆Ｖ字状の移動軌跡Ｌａ，Ｌｂを採用すると、同位相か逆位相かにかかわらず、脚部全体の筋活動量を高めることができると言える。
【０１０７】
ところで、本実施形態は、上述したように、左足支持台２ａと右足支持台２ｂとを代表点を通るｙ方向の軸Ａｙ周りで回転可能にしているから、前後方向の傾斜角度が変化する。つまり、左足支持台２ａおよび右足支持台２ｂに設けた足置板２１は足置カバー２２に対して軸部２４の周りで回動可能であるから、足置板２１の前端部と後端部との高さ位置を変化させることが可能であり、足置板２１の上に置いた足の爪先と踵との高さ位置を変化させることにより、足関節の底屈と背屈とが可能になっている。傾斜角度は、たとえば、足裏が水平である状態を０度、背屈時の水平に対する角度を正、底屈時の水平に対する角度を負として、背屈側と底屈側とにそれぞれ２０度の範囲で角度変化を可能とする。さらに、前端位置と後端位置と初期位置とにおいて、傾斜角度をそれぞれ１０度単位で５段階に設定可能とする。つまり、前端位置と後端位置と初期位置とにおいて、それぞれ−２０度、−１０度、０度、１０度、２０度の５段階の角度設定を可能とする。３位置で傾斜角度を設定すると、３位置の中間の位置での傾斜角度は自動的に補間される。
【０１０８】
角度設定の一例を図１４に示す。図１４（ａ）は、前端位置で−２０度、後端位置で２０度、初期位置で０度に設定した例であり、図１４（ｂ）は、前端位置で２０度、後端位置で２０度、初期位置で１０度に設定した例である。図１４（ａ）に示す動作例では足関節の角度変化が歩行時と同様になり歩行時に用いる筋群が伸縮するから、他動式の歩行運動を実現することができる。
【０１０９】
とくに、足関節の屈伸に伴って下腿部の筋群が伸縮するから、静脈環流が促進され、末梢部から心臓へ環流する血流を増加させて全身の血行促進を図ることができる。したがって、いわゆるエコノミークラス症候群を生じやすい体質の使用者にとっては静脈鬱血を改善する効果が期待できる。また、足関節を屈伸させることにより足関節の可動範囲を広げることができる。一方、図１４（ｂ）に示す動作例では足関節の角度変化は小さいがアキレス腱を伸長させているから、足関節に柔軟性を付与して足関節の可動範囲を大きくすることができる。また、左足支持台２ａおよび右足支持台２ｂからの反力が脛骨の方向に一致するように傾斜角度を変化させれば、膝に作用するせん断力が軽減され、膝痛の使用者でも苦痛を伴わずに使用することが可能になる。
【０１１０】
図１５に足関節の角度変化の有無による脚部の筋放電量（積分値）の変化を示す。図１５の縦軸は静止立位における各筋の筋放電量を１としたときの筋活動率を表し、各筋について左側が足関節の角度変化を伴わない場合を示し、右側が足関節の角度変化を伴う場合を示す。左足支持台２ａと右足支持台２ｂとを１．６Ｈｚで往復移動させたところ（つまり、足関節の角度変化も１．６Ｈｚ）、前脛骨筋、外側広筋、内側広筋の筋放電量は、足関節の角度変化を伴う場合のほうが足関節の角度変化を伴わない場合の２〜３倍になるこという結果が得られた。すなわち、脚部全体の筋活動を促すという結果が得られた。
【０１１１】
図１４（ａ）とは逆に、前端位置で２０度、後端位置で−２０度というように、左足支持台２ａおよび右足支持台２ｂが、前端位置に近付くほど後傾し、後端位置に近付くほど前傾するように傾斜角度を変化させれば、使用者の重心位置が前後方向において移動しにくくなり、バランス機能の衰えている使用者でもバランスを保ちやすくなる。
【０１１２】
上述の動作は、左足支持台２ａおよび右足支持台２ｂについて、フレーム座標系のＸＹ平面内での位置移動に伴って支持台座標系のｙ方向の軸Ａｙ周りでの傾斜角度を変化させているが、傾斜角度を調節可能としておき、ＸＹ平面内での位置が移動しても傾斜角度が変化しないように調節した角度を保つようにしてもよい。この場合、駆動装置３には傾斜角度を変化させる構成を設けなくてもよい。アキレス腱を伸ばすように傾斜角度を固定して使用すれば、腓腹筋やひらめ筋の柔軟性を高めることができる。
【０１１３】
上述した動作を行う駆動装置３として、左足支持台２ａと右足支持台２ｂとをそれぞれ前後方向に移動させる２個の駆動源および左右方向に移動させる２個の駆動源と、ｙ方向の軸Ａｙ周りの回転を行う２個の駆動源とを備える構成を採用する場合には、各駆動源の連動関係をコンピュータからなる制御装置で制御する構成を採用することができる。また、左足支持台２ａと右足支持台２ｂとは、前後方向と左右方向とについて逆位相で移動するから、前後方向と左右方向とについてそれぞれ１個ずつの駆動源を用いるとともに逆位相の関係を伝達機構によって実現する構成を採用することができる。上述した動作のうち、Ｖ字状もしくは逆八字状の動作と、逆Ｖ字状もしくは八字状の動作との一方のみを実現すればよい場合には、前後方向と左右方向との連動関係が一意に規定されるから、１個の駆動源のみを用いて伝達機構により連動関係を実現することができる。
【０１１４】
ｙ方向の軸Ａｙ周りでの角度変化について、左足支持台２ａと右足支持台２ｂとの角度を対称（逆位相）に設定する場合には、１個の駆動源を用いればよく、前端位置と後端位置と初期位置とにおける設定が不要であれば、前後左右に移動させる駆動源と共用することも可能である。
【０１１５】
左足支持台２ａと右足支持台２ｂとについて、ｙ方向の軸Ａｙ周りにおける傾斜角度を変化させるにあたっては、左足支持台２ａと右足支持台２ｂとの内外の適宜の位置に回転中心を設定することができる。左足支持台２ａと右足支持台２ｂとの前後方向（Ｘ方向）の中央位置に設定するほか、回転中心の位置を図１６に丸印を付した位置のいずれかに設定することも可能である。
【０１１６】
前後方向の中央位置に回転中心を設定すれば、前端位置や後端位置に設定する場合に比較すると、左足支持台２ａおよび右足支持台２ｂの荷重に抗して傾斜させるのに要する力が２分の１になる。したがって、回転中心に回転力を与える回転型の出力を持つ伝達機構を構成する場合は、この構成を採用すると出力の小さい駆動源を用いることができる。一方、回転中心を支点として回転中心以外の位置を押圧する直進型の出力を持つ伝達機構を構成する場合には、支点となる回転中心から押圧位置までの距離が大きいほうが梃子の原理によって出力を抑制できるから、前端位置または後端位置に回転中心を設けることによって出力の小さい駆動源を用いることが可能になる。
【０１１７】
回転中心を左足支持台２ａおよび右足支持台２ｂの外に設定すれば、ＸＹ平面上での位置に対する傾斜角度の変化の関係が非線形になるから、前端位置付近や後端位置付近での角度変化の変化率を初期位置付近での角度変化の変化率と異ならせることが可能になる。このような動作によって、バランスを保ちやすくしたり、足関節の回転角度にリズムを付与して単調さを解消したりするのに役立つ。
【０１１８】
なお、ｙ方向の軸Ａｙ周りの回転については、駆動装置３によって回転力を与えずに自由に回転させる構成を採用することも可能である。この構成を採用する場合、左足支持台２ａおよび右足支持台２ｂの回転範囲を規制する手段を設け、回転範囲を調節可能にしておけば、駆動装置３を用いることなく、前端位置で後傾し後端位置で前傾する動作を実現することができる。
【０１１９】
ところで、使用者は、特に指示しなければ、左足支持台２ａおよび右足支持台２ｂの移動方向（レール１７の長手方向）ではなく、開口窓１１ａ，１１ｂの長手方向の中心線に足の長手方向を一致させるように足を載せると考えられ、軸Ａｙの方向はこの点に考慮して設定してある。しかしながら、使用者が適正な向きで足を載せるとは限らないから、左足支持台２ａおよび右足支持台２ｂの上面には規定の位置に足を位置決めする位置決め部２６を設けてある。位置決め部２６として種々の構成が考えられるが、簡単な構成としては、適正な位置に表記したマークが用いられる。
【０１２０】
また、図１７（ａ）に示すように、左足支持台２ａおよび右足支持台２ｂの上面に位置決め部２６としての凹所２６ａを形成する構成、図１７（ｂ）に示すように、左足支持台２ａおよび右足支持台２ｂの上面に位置決め部２６としての突部２６ｂを形成した構成も採用可能である。突部２６ｂは少なくとも足の前後位置に対応付けて配置することが望ましい。また、土踏まずの位置にも配置すれば土踏まずを刺激することによるマッサージ効果も期待できる。図１７（ａ）（ｂ）に示す構成例は、左足支持台２ａおよび右足支持台２ｂに対して足を固定するものではないから、左足支持台２ａおよび右足支持台２ｂの傾斜角度が大きいときには、足の位置がずれる可能性がある。
【０１２１】
そこで、図１７（ｃ）のようにゴムのような摩擦力の大きい材料（微細な凹凸を形成した材料でもよい）により形成した滑り防止部２６ｃを、位置決め部２６として左足支持台２ａおよび右足支持台２ｂに設けるようにしてもよい。なお、滑り防止部２６ｃは左足支持台２ａおよび右足支持台２ｂの上面に貼着したり、左足支持台２ａおよび右足支持台２ｂに埋め込んだりすることができる。また、滑り防止部２６ｃは板状に形成したり、足の形状に合わせた形状に形成したりすることができる。さらに、滑り防止部２６ｃを図１７（ａ）に示した凹部２１ａや図１７（ｂ）に示した突部２６ｂと併用すれば、位置決めの効果をより高めることができる。
【０１２２】
図１７（ｄ）には、足の甲に巻き付けるベルト２６ｄを位置決め部２６として設けた構成例を示している。ベルト２６ｄは前後２本設けられており、足をベルト２６ｄの中に通すことによって足の位置を固定するようにしてある。ただし、ベルト２６ｄに面状ファスナを設けたりバックルを設けることにより、足のサイズに応じた調節を可能にする構成を採用してもよい。
【０１２３】
図１７に示した構成は適宜に組み合わせて用いることができ、たとえば、図１７（ａ）（ｃ）（ｄ）の構成を組み合わせれば、足の位置ずれをより確実に防止することができる。また、靴を履いて利用する場合には、自転車のペダルに装着するトークリップやビンディングと同様の構造を採用することにより、足の位置固定が可能になる。
【０１２４】
また、左足支持台２ａおよび右足支持台２ｂに対する足の位置を調節可能にしておけば、回転中心から足位置までの距離を調節することにより、回転中心に近い位置に足を載せて使用するとバランスをとりやすくかつ筋群の伸縮が少ない軽負荷の運動ができ、回転中心から離れた位置に足を載せて使用すると重心の上下移動が大きくなり、かつ筋群の伸縮が多い強負荷の運動が可能になる。
【０１２５】
左足支持台２ａおよび右足支持台２ｂをｙ方向の軸Ａｙ周りで回転させる構成例を以下に示す。すなわち、軸部２４の周りでの足置板２１の回動をレール１７に沿った往復移動に連動させるために、ベース板１ａには、図１８に示すように、足置板２１の移動経路に沿って少なくとも一部に傾斜面１４ａを有したガイド面１４が形成され、足置板２１の下面にはガイド面１４に当接する倣い突部２５が設けられている。図示例では、ガイド面１４の全長に亘ってベース板１ａの上面に対して一定角度で傾斜する傾斜面１４ａを形成しているが、ガイド面１４の形状はとくに限定されるものではなく、一部に傾斜面１４ａを含んでいればよい。倣い突部２５の先端部は、ガイド面１４に対する摩擦係数が小さくなるように材料および形状を選択しておけばよいが、本実施形態では、ガイド面１４の上で転動するローラ２５ａを倣い突部２５の先端部に設けている。
【０１２６】
上述のように、ガイド面１４に当接する倣い突部２５を設けていることにより、モータ３１の回転に伴って左足支持台２ａおよび右足支持台２ｂが往復移動を行う際に、倣い突部２５がガイド面１４に設けた傾斜面１４ａに当接する際には、足置板２１が軸部２４の周りで回動することにより足置板２１のベース板１ａに対する角度が変化し、結果的に足関節の底屈および背屈が行われる。
【０１２７】
なお、上述の例では、ガイド面１４をベース板１ａに設け、倣い突部２５を足置板２１に設けているが、図１９のように、ガイド面１４を足置板２１に設け倣い突部２５をベース板１ａに設けるようにしても同様に動作する。
【０１２８】
上述した構成例では、駆動装置３における系統分離部３２の構成として、ウォーム３２ａとウォームホイール３２ｂとを用いることにより、モータ３１の出力軸３１ａとウォームホイール３２ｂとともに回転する回転軸３５との直角軸間の伝達を可能にするとともに減速を行う構成例を示したが、モータ３１の出力軸３１ａと回転軸３５との直角軸間の伝達をベルトにより行う構成を採用してもよい。この場合、ウォームホイール３２ｂに代えてベルトを掛け回すプーリを用い、ウォーム３２ａを省略することができる。
【０１２９】
また、上述の構成例では、モータ３１の出力軸３１ａがベース板１ａの上面に沿って配置されているが、出力軸３１ａがベース板１ａの上面に直交するように配置する場合には、ウォーム３２ａとウォームホイール３２ｂとの組み合わせではなく、平歯車の組み合わせによって回転力の伝達と系統の分離とを行うことが可能である。この構成において平歯車をプーリに置き換えたり、プーリ間で回転力をベルトで伝達するように構成したりすることが可能である。
【０１３０】
往復駆動部３３の構成としては、クランク板３６とクランクロッド３８とを用いる代わりに、モータ３１の回転力を溝付きカムに伝達して溝付きカムを回転させ、溝付きカムのカム溝に従動するカムフォロワをクランクロッド３８に代えて用いる構成を採用することも可能である。この種の構成において、ウォームホイール３２ｂに代えてモータ３１の出力軸３１ａと平行な回転軸を有する溝付きカムを用いる構成を採用すれば、出力軸３１ａから溝付きカムにピニオンによって回転力を伝達することが可能である。
【０１３１】
さらに、溝付きカムを１個だけ用い、モータ３１の出力軸３１ａの回転力を溝付きカムに伝達する構成を採用する場合には、溝付きカムのカム溝に２個のカムフォロワを配置することで、系統分離部３２と往復駆動部３３との機能を溝付きカムとカムフォロワとにより実現することも可能である。
【０１３２】
上述した構成から明らかなように、駆動装置３の運転を開始すると、左足支持台２ａおよび右足支持台２ｂはそれぞれ前後方向に位置を変化させるとともに、前後方向の位置変化に伴って左右方向の位置も変化させる。ここで、左足支持台２ａおよび右足支持台２ｂはレール１７に沿った一直線上を往復移動し、左足支持台２ａおよび右足支持台２ｂは足の前後方向とは異なる方向に移動する。たとえば、ハウジング１の前後方向に対して４５度をなす方向に移動する。この移動距離は、たとえば２０ｍｍなどに設定する。
【０１３３】
また、上述したように、左足支持台２ａおよび右足支持台２ｂがレール１７に沿って往復移動するのと同時に、足置板２１が軸部２４の周りに回動する。足置板２１が前方に移動する際には倣い突起２５がガイド面１４の傾斜面１４ａを昇るから、左足支持台２ａおよび右足支持台２ｂの前端位置において足関節が背屈し、左足支持台２ａおよび右足支持台２ｂの後端位置において足関節が底屈することになる。軸部２４の位置は足裏において踵付近に設定し、底屈と背屈との角度はベース板１ａの上面を基準面として基準面に対してそれぞれ１０度程度に設定する。
【０１３４】
なお、左足支持台２ａおよび右足支持台２ｂの前後の位置と底屈および背屈との関係は上述の例とは逆にすることが可能であり、また基準面に対する底屈および背屈の角度は異ならせてもよい。これらの動作はガイド面１４の形状を適宜に設定することにより、容易に実現することができる。
【０１３５】
上述したように、左足支持台２ａと右足支持台２ｂとを一方が前端位置のときに他方を後端位置に位置させ、かつ一方が左向きに移動するときに他方を右向きに移動させることによって、体幹を捻って使用者の内蔵に刺激を与えることができるが、上述の構成では上体が自由に動くものであるから、使用者によっては体幹が捻れないように身体を動かす場合もある。
【０１３６】
そこで、手摺を設け使用時には手摺を持たせることによって、上体の位置を固定させる構成を採用してもよい。手摺はハウジング１に一体に設けるほか、装置を使用する場所において造営物側に設けるようにしてもよい。手摺を設けておけば手摺によって使用者は身体を支えることができるからバランス機能が衰えている使用者でも利用しやすくなる。また、立位で使用することが基本であるが、リハビリ目的などであって、立位が困難な場合には座席を設けて着座姿勢で利用してもよい。
【０１３７】
（実施形態２）
実施形態１は、使用者の重心位置が前後に移動しないように、左足支持台２ａと右足支持台２ｂとを前後方向において互いに逆位相になるように移動させる構成を採用したが、使用者の重心位置を前後に移動させると、前後に倒れないように反射神経系が機能するから、身体が倒れないように保つための筋群（たとえば、広背筋、大腰筋、腸腰筋）が刺激される。
【０１３８】
本実施形態は、この効果をねらうものであって、左足支持台２ａと右足支持台２ｂとを前後方向において逆位相で移動させるのではなく、１８０度ではない適宜の位相差で移動させる構成を採用している。位相差は０度であってもよく、この場合、左足支持台２ａと右足支持台２ｂとは同時に前後移動することになる。位相差が１８０度ではない場合には前端位置と後端位置とにおいて加速度が生じ、重心位置が前後に移動するから、身体が倒れないように保つための筋群が刺激される。さらに、左足支持台２ａと右足支持台２ｂとの移動に伴って傾斜角度も変化させると、重心位置を保つのがより一層難しくなり、身体を倒れないように保つための筋群の強化が可能になる。他の構成および動作は実施形態１と同様である。
【０１３９】
（実施形態３）
実施形態１では、足置板２１の下面に倣い突部２５を突設し、ベース板１ａに設けたガイド面１４に倣って倣い突部２５が移動することにより、ｙ方向の軸Ａｙの周りで左足支持台２ａおよび右足支持台２ｂの角度を変化させる構成を採用しているが、本実施形態では、図２０に示すように、系統分離部３２により駆動力を分離した後、左足支持台２ａおよび右足支持台２ｂの代表点をベース板１ａの上面に沿って摺動移動させる第１駆動部３３ａと、ｙ方向の軸Ａｙの周りで左足支持台２ａおよび右足支持台２ｂの角度を変化させる第２駆動部３３ｂとを設けている。第１駆動部３３ａおよび第２駆動部３３ｂは、図２１に示す構成を有している。ここに、ウォームホイール３２ｂから第１駆動部３３ａおよび第２駆動部３３ｂへの駆動力の伝達経路については省略しているが、歯車、ベルトなどの周知の伝達要素を用いることにより駆動力を伝達することができる。
【０１４０】
ところで、第２駆動部３３ｂは、足関節の角度を変化させるように左足支持台２ａおよび右足支持台２ｂの角度を変化させるから、足関節の回動中心の延長線に直交する面（以下では、「回動面」と呼ぶ）内において左足支持台２ａおよび右足支持台２ｂの角度を変化させるように構成されている。
【０１４１】
図２１に示す構成例は、左足支持台２ａおよび右足支持台２ｂが前後に移動する際の爪先の軌跡が下に凸になるように左足支持台２ａおよび右足支持台２ｂの上面の角度を変化させるものである。図示例は、左足支持台２ａおよび右足支持台２ｂの移動経路における前端位置において踵が爪先よりも下方に位置し、後端位置において爪先が踵よりも下方に位置するように左足支持台２ａおよび右足支持台２ｂの角度が変化する場合を示している。
【０１４２】
第１駆動部３３ａは、系統分離部３２から回転力が伝達される偏心回転体４５と、偏心回転体４５にクランクピン４６ａを用いて一端部が結合されたクランクロッド４６とを備える。クランクロッド４６の他端部はギアボックス４０に対してクランク軸４６ｂにより回動自在に結合される。ギアボックス４０は、移動経路が図２１に示すラック４１の長手方向に沿った一直線上に拘束されている。したがって、偏心回転体４５が回転すると、偏心回転体４５の回転中心４５ａからクランクロッド４６の上記他端部までの距離が変化することにより、ギアボックス４０はラック４１の長手方向に沿った一直線上を移動することになる。
【０１４３】
ギアボックス４０は、互いに噛合した歯数の異なる２個の平歯車４２，４３を支承しており、歯数が少ないほうの平歯車４２はラック４１に噛合する。したがって、上述のように偏心回転体４５の回転に伴ってギアボックス４０がラック４１に対して摺動すると、ラック４１に噛合している平歯車４２が回転し、この回転力が平歯車４３に伝達される。偏心回転体４５が１回転する間に、平歯車４２はラック４１上を往復移動し、平歯車４３は平歯車４２の往復回転に伴って水平面に対して±３０度程度の範囲で往復回転する。
【０１４４】
平歯車４３には左足支持台２ａあるいは右足支持台２ｂが結合されており、左足支持台２ａあるいは右足支持台２ｂは平歯車４３の往復回転に伴って上面の角度を変化させる。また、ギアボックス４０がラック４１に沿って一直線上を移動するから、左足支持台２ａあるいは右足支持台２ｂもラック４１に沿って一直線上を移動する。つまり、ラック４１の長手方向が左足支持台２ａあるいは右足支持台２ｂの摺動移動の方向になる。
【０１４５】
以上の説明から明らかなように、ギアボックス４０およびラック４１は第１駆動部３３ａの一部を構成しており、ラック４１と平歯車４２，４３とは第２駆動部３３ｂを構成することになる。つまり、本実施形態では、第１駆動部３３ａの駆動力が第２駆動部３３ｂに伝達され、第１駆動部３３ａの駆動力と第２駆動部３３ｂの駆動力とが第２駆動部３３ｂから左足支持台２ａあるいは右足支持台２ｂに伝達される構成になっている。
【０１４６】
なお、図示した構成では、ギアボックス４０に弧状のガイド孔４０ａが形成され、平歯車４３に結合されガイド孔４０ａに挿通された連結軸４３ａと、平歯車４３の回動軸４３ｂとがスイング板４４に結合され、スイング板４４に左足支持台２ａあるいは右足支持台２ｂを結合する構成を採用している。つまり、回動軸４３ｂは左足支持台２ａあるいは右足支持台２ｂを回動させる軸部になる。
【０１４７】
上述した構成から明らかなように、回動軸４３ｂは左足支持台２ａあるいは右足支持台２ｂの上面よりも上方に位置している。具体的には、上述した位置決め部２６により規定される位置に足を載せたときに、回動軸４３ｂの延長線が足関節を通る位置に回動軸４３ｂを設ける。もっとも、足の寸法には個人差があるから、位置決め部２６は滑り防止部２６ｃやビンディングのように足の大きさにかかわらず利用できる構成を採用するか、あるいは足の大きさに応じた複数段階の選択が可能な構成を採用する。また、左足支持台２ａあるいは右足支持台２ｂの上面と回動軸４３ｂまでの距離については、想定する使用者の足の寸法から得られる平均値とすればよい。また、左足支持台２ａあるいは右足支持台２ｂの上面に着脱可能であって厚みの異なる寸法調節板を重ねたり、スイング板４４を連結軸４３ａおよび回動軸４３ｂに取り付ける位置を調節可能にしたりする構成を採用してもよい。
【０１４８】
図２１に示す構成の動作をまとめると図２２のようになる。上述したように、図２２の動作は一例であって、左足支持台２ａおよび右足支持台２ｂの上面が水平面に対してなす角度は適宜に設定可能である。つまり、図２２に示す動作例は、図２２（ｂ）のように、偏心回転体４５の回転中心４５ａの上下いずれかの位置にクランクピン４６ａが位置するときに、左足支持台２ａあるいは右足支持台２ｂの上面が水平になる場合を例示している。
【０１４９】
図２２において右方を前方とすれば、図２２（ａ）のように、偏心回転体４５の回転中心４５ａに対してクランクピン４６ａが前方に位置するときには、連結軸４３ａが回転軸４３ｂよりも前方に位置し、結果的に左足支持台２ａあるいは右足支持台２ｂは、前端部が後端部よりも上方に位置することになる。つまり、踵が爪先よりも下方に位置する。一方、図２２（ｃ）のように、偏心回転体４５の回転中心４５ａに対してクランクピン４６ａが後方に位置するときには、連結軸４３ａが回転軸４３ｂよりも後方に位置し、左足支持台２ａあるいは右足支持台２ｂは、後端部が前端部よりも上方に位置する。つまり、爪先が踵よりも下方に位置する。
【０１５０】
上述の動作によって、足の位置を摺動移動させることで使用者の脚部の筋群の伸縮を促し、しかも足関節の角度を変化させることにより下腿部の筋群を刺激することが可能になる。つまり、歩行時の動作に近似させていることにより、大腿部および下腿部の筋群を協調させて刺激することができるから、リハビリなどの際の歩行訓練に利用することが可能である。しかも、足の位置は摺動移動するだけであって、大腿部を持ち上げる必要がないから、膝関節に痛みがある場合や大腿部の筋群の筋力が低下してバランスをとりにくい使用者であっても利用することが可能である。さらには、下腿部の筋群を伸縮させることにより、足関節の周囲の筋群をほぐして関節可動域の減少を防止するとともに、腓腹筋の伸縮によって静脈環流の増加を促すことができる。
【０１５１】
なお、上述の動作は、左足支持台２ａおよび右足支持台２ｂが摺動移動の際の移動範囲の前端に位置するときに爪先が踵よりも上方に位置し、摺動移動の際の後端に位置するときに踵が爪先よりも上方に位置するから、歩行時の自然な動作に近く、歩行訓練に役立つものであるが、回動軸４３ｂの周りでの角度変化を逆にしてもよい。つまり、左足支持台２ａおよび右足支持台２ｂが摺動移動の移動範囲の前端に位置するときに踵が爪先よりも上方に位置し、摺動移動の後端に位置するときに爪先が踵よりも上方に位置するようにしてもよい。前者の動作では足関節の角度変化が比較的少ないが、後者の動作では足関節の角度が大きく変化するから、関節の可動域を広げる訓練に役立てることができる。とくに、摺動移動の後端において足関節が背屈することになり、アキレス腱を伸長させる効果を高めることができる。
【０１５２】
ところで、上述の構成例では、左足支持台２ａあるいは右足支持台２ｂの回転中心である軸部の延長線が使用者の足関節を通るように、回動軸４３ｂの位置を設定しているから、左足支持台２ａおよび右足支持台２ｂが回動軸４３ｂの周りに回動しても足関節は上下方向にはほとんど移動せず、上下方向の移動に伴う負荷が足関節にほとんど作用しない。つまり、足関節への負担が少ないとともに使用者にとっては重心移動が少なくバランスを保ちやすくなる。ただし、回動軸４３ｂの延長線が足関節を通ることは、回動軸４３ｂを左足支持台２ａおよび右足支持台２ｂの上面よりも上方に配置しなければならないから、それだけベース板１ａの上下方向の寸法が大きくなる。
【０１５３】
ベース板１ａの上下方向の寸法を小さくするには、軸部を左足支持台２ａおよび右足支持台２ｂの下方に配置することが望ましい。たとえば、左足支持台２ａおよび右足支持台２ｂにおいて足関節の直下に軸部を設け、この軸部を第２駆動部３３ｂにより回動させるとともに、第２駆動部３３ｂを第１駆動部３３ａにより摺動移動させる構成を採用すれば、ベース板１ａの上下方向の寸法を低減することができる。
【０１５４】
このような構成を採用すれば、左足支持台２ａおよび右足支持台２ｂの摺動移動に伴って足関節は上下方向に変位するが、軸部を足関節の直下としているから、左足支持台２ａおよび右足支持台２ｂよりも軸部を下方に配置するという制約条件の中では、軸部と足関節との距離を最小化することができるから、足関節の上下方向の変位量を小さくすることができる。また、第１駆動部３３ａおよび第２駆動部３３ｂを併せて簡略に構成することが可能になる。たとえば、第１駆動部３３ａで左足支持台２ａおよび右足支持台２ｂを摺動移動させ、左足支持台２ａおよび右足支持台２ｂに軸部となる回動軸を設けるとともに、左足支持台２ａおよび右足支持台２ｂの軸部の周りでの角度を変化させるガイドを設けて第２駆動部３３ｂに用いる構成を採用することができる（ガイドは、後述する実施形態２の構成におけるカム溝とガイドバーとの関係と同様の構成を採用すればよい）。
【０１５５】
なお、左足支持台２ａおよび右足支持台２ｂに軸部を設ける場合に、足関節の直下ではなく足関節の直下から離れた部位に設けると、足関節の上下方向の変位を大きくすることができ、バランス機能の訓練に利用することが可能になる。
【０１５６】
上述の構成例では、左足支持台２ａおよび右足支持台２ｂの代表点が移動する方向と軸部である回動軸４３ｂの延長方向とを直交させているが、両方向を直角以外の角度になるように構成する場合には、平歯車４２，４３に代えて、食違いウォーム歯車や傘歯車を用いればよい。
【０１５７】
また、フック式自在継手を用いて第１駆動部３３ａと第２駆動部３３ｂとの間を任意角度に調節することも可能である。フック式自在継手を用いる場合には、左足支持台２ａと第１駆動部３３ａと第２駆動部３３ｂとからなるブロックを構成し、また右足支持台２ｂと第１駆動部３３ａと第２駆動部３３ｂとからなるブロックを構成しておき、左足支持台２ａあるいは右足支持台２ｂの代表点の摺動方向がベース板１ａの前後方向に対してなす角度を各ブロックごとに調節可能としてもよい。
【０１５８】
たとえば、各ブロックの後端部を水平面内で回動可能となるように軸ピンによってベース板１ａに結合するとともに、ベース板１ａにはブロックの回動中心から一定距離である部位に複数個のピン孔を設けておき、ブロックに設けた係止ピンをいずれかのピン孔に挿入する構成とすれば、左足支持台２ａおよび右足支持台２ｂの摺動方向が複数方向から選択可能になる。この構成では、左足支持台２ａおよび右足支持台２ｂの移動軌跡は直線状であって、移動軌跡の前端位置と後端位置とを結ぶ直線が前後方向に対してなす角度が調節可能になるから、各ブロックと軸ピンと係止ピンとピン孔とにより移動方向設定部が構成される。
【０１５９】
ここにおいて、第１駆動部３３ａと第２駆動部３３ｂとはフック式自在継手を用いて結合されているから、軸部となる回動軸４３ｂに直交する回動面がベース板１ａの前後方向に対してなす角度を５〜１５度の範囲に保ちながらも、左足支持台２ａと右足支持台２ｂとの摺動移動の方向をより大きい角度範囲で変化させることが可能になる。たとえば、左足支持台２ａと右足支持台２ｂとの摺動移動の方向はベース板１ａの前後方向に対して５〜４５度の範囲などに設定することが可能になる（角度は左足支持台２ａについては左回りの角度、右足支持台２ｂについては右回りの角度）。
【０１６０】
上述した動作では、第１駆動部３３ａの周期と第２駆動部３３ｂの周期とを一致させているが、第１駆動部３３ａと第２駆動部３３ｂとの周期を異ならせる構成を採用することも可能である。両者の周期を異ならせると、通常の歩行とは異なる不自然な動きになるから、特殊な動きの訓練が可能になる。他の構成および動作は実施形態１と同様である。
【０１６１】
（実施形態４）
本実施形態は、基本的な構成は実施形態３と同様であるが、第１駆動部３３ａおよび第２駆動部３３ｂの構成が実施形態３とは異なるものである。すなわち、第２駆動部３３ｂは、図２３に示すように、左足支持台２ａと右足支持台２ｂとがそれぞれ左右両側下部に突設した一対の側板２７を有し、各側板２７において左右に貫通するカム溝２８に、ベース板１ａの定位置に固定した２本のガイドバー２９を挿通することにより構成してある。第１駆動部３３ａは、実施形態３と同様の構成であって、系統分離部３２から回転力が伝達される偏心回転体４５に一端部を結合したクランクロッド４６の他端部をクランク軸４６ｂにより左足支持台２ａあるいは右足支持台２ｂに結合した構成を有する。
【０１６２】
カム溝２８は、両端部が中央部よりも下方に位置するように側面視において逆Ｖ字状に形成されている。また、２本のガイドバー２９を設けることによって、左足支持台２ａおよび右足支持台２ｂに作用する荷重を支持している。
【０１６３】
この構成では、図２４に示すように、第１駆動部３３ａによって左足支持台２ａおよび右足支持台２ｂが摺動移動する際には、カム溝２８がガイドバー２９に沿って移動し、カム溝２８の中央部が両端部よりも上方にしていることにより、左足支持台２ａあるいは右足支持台２ｂが前端位置に移動するときには爪先が踵よりも下方に位置し、左足支持台２ａあるいは右足支持台２ｂが後端位置に移動するときには踵が爪先よりも下方に位置するように、左足支持台２ａおよび右足支持台２ｂの上面の角度が変化する。
【０１６４】
上述の構成ではカム溝２８の形状によって、左足支持台２ａおよび右足支持台２ｂの上面の角度変化を任意に設定することができ、カム溝２８の形状によって、左足支持台２ａおよび右足支持台２ｂの摺動移動の位置と足関節の上下方向の変位量との関係を適宜に調節することができる。また、左足支持台２ａおよび右足支持台２ｂの上面の角度変化の際に規定した軸部の周りでの回転とする必要がなく、それだけ足関節の角度の変化パターンの自由度を高めることができる。
【０１６５】
なお、カム溝２８の形状を逆Ｖ字状とする代わりに上下を逆にしてＶ字状に形成すれば、左足支持台２ａおよび右足支持台２ｂが摺動移動する際の移動範囲における前端位置において爪先が踵よりも上方に位置し、後端位置において踵が爪先よりも上方に位置するように移動させることができる。つまり、図２３に示す構成例では足の前後の位置と足関節の角度との関係が歩行とは異なる関係になるが、カム溝２８の形状を変更することにより歩行と同様の関係にすることができる。さらに、各ガイドバー２９ごとに独立したカム溝２８を設ける構成を採用し、各カム溝２８を略平行に形成してもよい。
【０１６６】
また、図示例ではカム溝２８をガイドバー２９が挿通される孔状に形成しているが、側板２７においてカム溝２８の下方を省略して単なるカム面としてもよい。この構成を採用すれば、上下方向の寸法を小さくしてベース板１ａの薄型化が可能になる。
【０１６７】
本実施形態は第２駆動部３３ｂの構造が実施形態３とは異なるが、他の構成は実施形態３と同様であるから説明を省略する。
【０１６８】
（実施形態５）
実施形態１では、左足支持台２ａと右足支持台２ｂをｙ方向の軸Ａｙ周りに回転可能としているが、ｘ方向の軸Ａｘ周りに回転可能とした例を図２５に示す。
【０１６９】
図示例では、図２５（ａ）のように前端位置で内傾させ、図２５（ｂ）のように初期位置では水平になり、図２５（ｃ）のように後端位置で外傾させるように傾斜角度が設定されている。このように、左足支持台２ａと右足支持台２ｂとが前後左右に移動する間に内傾と外傾とを繰り返すから、使用者の上体には左右に倒そうとする加速度が作用する。この加速度に抗して身体を倒さないように反射が生じるから、脚側部の筋肉が刺激され、オー脚やエックス脚を矯正するための筋群を強化することが可能になる。
【０１７０】
左足支持台２ａと右足支持台２ｂとの傾斜角度は、実施形態１と同様に、前端位置と後端位置と初期位置とにおいて設定すれば、ＸＹ平面内での位置移動に伴って駆動装置３が角度を連続的に変化させる。
【０１７１】
ｘ方向の軸Ａｘ周りの回転中心は、支持台座標系でのｙ方向において、左足支持台２ａと右足支持台２ｂとの中心位置に設定するほか、左足支持台２ａおよび右足支持台２ｂの内外の適宜の位置に設けることができる。回転中心の位置に応じた効果は実施形態１においてｙ方向の軸Ａｙ周りの回転中心の位置に応じた効果と同様である。さらに、支持台座標系のｙ方向において左足支持台２ａおよび右足支持台２ｂに足を載せる位置を調節する構成を採用すれば、足を載せる位置に応じて、左右方向における重心の移動量を変化させたり、負荷の大きさを変化させたりすることができる。
【０１７２】
図示例は、左足支持台２ａおよび右足支持台２ｂの位置がフレーム座標系のＸＹ平面内において移動するのに伴って傾斜角度が変化する例を示しているが、オー脚やエックス脚の程度に応じて傾斜角度を調節し、左足支持台２ａおよび右足支持台２ｂの移動にかかわりなく一定の傾斜角度で使用するようにしてもよい。他の構成および動作は実施形態１と同様である。
【０１７３】
（実施形態６）
実施形態１では、左足支持台２ａと右足支持台２ｂを支持台座標系のｙ方向の軸Ａｙ周りに回転可能としているが、ｚ方向の軸Ａｚ周りに回転可能とした例を図２６に示す。上述した各例では左足支持大２ａと右足支持台２ｂとをｚ方向の軸Ａｚ周りに回転させていないから、フレーム座標系と支持台座標系との各座標軸の方向が一致していたが、支持台座標系のｚ方向の軸Ａｚ周りに回転させると、フレーム座標系のＸ方向およびＹ方向と、支持台座標系のｘ方向およびｙ方向とは一致しなくなる。
【０１７４】
ｘ方向あるいはｙ方向の軸Ａｙ周りに回転させる場合と同様に、ｚ方向の軸Ａｚ周りに回転させる場合も、左足支持台２ａと右足支持台２ｂとがフレーム座標系でのＸＹ平面内で位置を移動させるのに伴って回転角度を変化させる場合と、位置移動とは無関係に回転角度を固定する場合とがある。
【０１７５】
図示例は回転角度を変化させる場合の例であって、左足支持台２ａおよび右足支持台２ｂの移動軌跡Ｌａ，Ｌｂの後端位置においてフレーム座標系のＸ方向と支持台座標系のｘ方向との角度が最大になり、前端位置において角度が最小になるようにしてある。
【０１７６】
上述のように左足支持台２ａおよび右足支持台２ｂについて、フレーム座標系のＸＹ平面内での代表点の位置移動に応じて支持台座標系のｚ方向の軸Ａｚ周りの回転角度を変化させると、左右片脚ずつについてみれば、股関節の回転が生じて股関節の周囲の筋群が伸縮し、結果的に股関節の柔軟性を高めることができる。また、使用者の身体全体についてみれば、体幹の捻れを大きくすることができ、ｚ方向の軸Ａｚ周りの回転を伴わない場合に比較して内蔵への刺激を大きくすることができる。
【０１７７】
上述の動作例では、左足支持台２ａと右足支持台２ｂとが、フレーム座標系のＸＹ平面内での位置移動に伴って、支持台座標系のｚ方向の軸Ａｚ周りに回転しているが、膝関節にせん断力が作用しない位置でｚ方向の軸Ａｚ周りの回転角度を調節可能とし、ＸＹ平面の移動位置にかかわらず調節した回転角度に保つようにしておけば、膝痛のある使用者でも苦痛を伴わずに使用することが可能になる。他の構成および動作は実施形態１と同様である。
【０１７８】
上述した構成例では、左足支持台２ａと右足支持台２ｂとが直進するとともに前方への移動時と後方への移動時とで同じ経路を通る場合を想定しているが、直進ではなく移動軌跡Ｌａ，Ｌｂが適宜の曲線になるようにしてもよい。曲線の形状は円錐曲線（円、楕円、放物線、双曲線）のほか任意の曲線あるいは折線など適宜形状を採用することができる。また、前方への移動時と後方への移動時の経路を異ならせてもよい。たとえば、移動軌跡Ｌａ，Ｌｂをそれぞれ楕円状としてもよい。ただし、いずれの場合も、移動軌跡Ｌａ，Ｌｂにおける前端位置の左右幅と後端位置の左右幅とを異ならせることによって、左足支持台２ａについて前端位置と後端位置とを結ぶ直線と、右足支持台２ｂについて前端位置と後端位置とを結ぶ直線とがなす形状は、Ｖ字状または逆Ｖ字状になるようにする。
【０１７９】
以下に、移動軌跡Ｌａの例を示す。以下に説明する移動軌跡Ｌａについて図に丸付きで示す数字は移動の順序を示している。たとえば、図２７に示す４例は、左足支持台２ａに関して、円弧または楕円弧の一部を組み合わせた移動軌跡Ｌａを示している。図２７（ａ）は前端位置から外側に膨らんだ半円を前後に２個連続させて後端位置に移動する移動軌跡Ｌａを示す。図２７（ｂ）は図２７（ａ）のものとは逆に内側に膨らんだ半円を前後に２個連続させた移動軌跡Ｌａを示す。図２７（ｃ）は前端位置から内側に膨らんだ１個の半円と外側に膨らんだ１個の半円とを前後に連続させて後端位置に移動する移動軌跡Ｌａを示している。図２７（ｄ）は図２７（ｃ）のものとは逆に外側に膨らんだ１個の半円と内側に膨らんだ１個の半円とを前後に連続させた移動軌跡Ｌａを示している。図示例は、２個の半円を連続させた形になっているが、半楕円を連続させた形でもよい。
【０１８０】
また、後端位置から前端位置への移動には、同じ移動軌跡Ｌａを通ってもよいが、別の移動軌跡Ｌａを通るようにしてもよい。たとえば、前端位置から後端位置に向かって図２７に示す移動軌跡Ｌａのいずれかを採用し、後端位置から前端位置に向かっては直線上を移動してもよい。
【０１８１】
図２８に示す２例は、８字状の移動軌跡Ｌａであって、図２８（ａ）は、前端位置から外側に膨らむ半円と内側に膨らむ半円とを前後に連続させた移動軌跡Ｌａで後端位置に移動し、後端位置からは外側に膨らむ半円と内側に膨らむ半円とを前後に連続させた移動軌跡Ｌａで前端位置に移動するものである。すなわち、前端位置から後端位置に向かっては図２７（ｄ）の移動軌跡Ｌａを採用し、後端位置から前端位置に向かっては図２７（ｃ）の移動軌跡Ｌａを逆行する移動軌跡Ｌａを採用している。
【０１８２】
図２８（ｂ）は、図２８（ａ）に示したものとは逆であり、前端位置から後端位置に向かって図２７（ｃ）の移動軌跡Ｌａを採用し、後端位置から前端位置に向かっては図２７（ｄ）の移動軌跡Ｌａを逆行する移動軌跡Ｌａを採用している。
【０１８３】
図２９に示す４例は、∞字状の移動軌跡Ｌａであって、前後方向において往復する移動軌跡Ｌａとして、それぞれ楕円状となる外側方の移動軌跡Ｌａ１と内側方の移動軌跡Ｌａ２との２種類を有している。ここで、外側方の移動軌跡Ｌａ１とは後端位置から前端位置に向かって足の外側方に向かう軌跡を意味し、内側方の移動軌跡Ｌａ２とは後端位置から前端位置に向かって足の内側方に向かう軌跡を意味する。また、各移動軌跡Ｌａ１，Ｌａ２において、それぞれ前方移動時と後方移動時とで異なる経路としている。移動軌跡Ｌａ１，Ｌａ２において前方移動時が後方移動時に対して内側を通る軌跡を内回り、前方移動時が後方移動時に対して外側を通る軌跡を外回りと呼ぶことにする。
【０１８４】
図２９（ａ）は外側方と内側方との移動軌跡Ｌａ１，Ｌａ２がともに内回り、図２９（ｂ）は外側方と内側方との移動軌跡Ｌａ１，Ｌａ２がともに外回りになる移動軌跡Ｌａを示している。また、図２９（ｃ）は外側方の移動軌跡Ｌａ１が外回り、内側方の移動軌跡Ｌａ２が内周りであり、図２９（ｄ）は外側方の移動軌跡Ｌａ１が内回り、外側方の移動軌跡Ｌａ２が外回りになっている。
【０１８５】
上述した移動軌跡Ｌａは例として示しているが、移動軌跡Ｌａは他の経路を採用することもできる。上述した移動軌跡Ｌａには、レール１７の形状のみでは対応できないものも含まれているが、適宜形状のカムやクラッチのような機械要素を組み合わせることによって実現可能である。
【０１８６】
上述の例では、左足支持台２ａと右足支持台２ｂとを逆位相で移動させる場合と逆位相以外で移動させる場合とを例示したが、左足支持台２ａと右足支持台２ｂとの一方を停止した状態で他方のみ移動させる動作や、この動作を左右交互に行う動作も可能である。さらに、上述した各実施形態では、左足支持台２ａと右足支持台２ｂとの移動軌跡Ｌａ，Ｌｂが同形状である場合を想定しているが、左足支持台２ａと右足支持台２ｂとでは異なる移動軌跡Ｌａ，Ｌｂとしたり、左右で異なる移動軌跡Ｌａ，Ｌｂを適宜に入れ替える動作を採用することも可能である。
【０１８７】
また、上述した構成例では、ｘ方向の軸Ａｘの周り、ｙ方向の軸Ａｙの周り、ｚ方向の軸Ａｚの周りでの角度変化を可能とする構成を例示したが、これらの構成は、左足支持台２ａや右足支持台２ｂが前後方向（Ｘ方向）あるいは左右方向（Ｙ方向）に移動する場合にも適用可能であり、また、左足支持台２ａや右足支持台２ｂがハウジング１に対して移動しない構成であっても、単独で採用することが可能である。すなわち、軸Ａｘ，Ａｙ，Ａｚの周りで角度を変化させる動作は、左足支持台２ａと右足支持台２ｂとの移動軌跡Ｌａ，ＬｂがＶ字状や逆Ｖ字状ではない場合にも利用できる。したがって、左足支持台２ａと右足支持台２ｂとの代表点の位置をハウジング１に対して移動させる動作と、軸Ａｘ，Ａｙ，Ａｚの周りで角度を変化させる動作とを個別に制御するようにしてもよい。
【０１８８】
この場合、左足支持台２ａや右足支持台２ｂを移動させる機構としては、図３０に示すように、棒状のねじ（たとえば、ねじ棒）５１と、ねじ５１に噛合する小歯車（たとえば、ウォーム）５２とを用い、棒ねじ５１を左足支持台２ａと右足支持台２ｂとにそれぞれ結合し、ウォーム５２をモータ３１の駆動力により回転させる構成を採用することができる。
【０１８９】
この構成では、左足支持台２ａと右足支持台２ｂとが移動する向きを変えるには、モータ３１の回転方向を切り換える必要があるから、左足支持台２ａと右足支持台２ｂとの移動位置を検出する位置センサ５３ａ，５３ｂを設けておき（前端位置と後端位置を検出するために左足支持台２ａと右足支持台２ｂとにそれぞれ２個設けている）、位置センサ５３ａ，５３ｂの出力を用いてモータ３１の回転方向を切り換える（位置センサ５３ａ，５３ｂの出力によりモータ３１を制御する制御部は図示を省略している）。位置センサ５３ａ，５３ｂには、近接センサあるいは光電センサを用いればよい。
【０１９０】
なお、１個のモータ３１を用いて左足支持台２ａと右足支持台２ｂと駆動しているから、位相関係を同位相または逆位相とする場合には、一方が前端位置のときに他方は前端位置（同位相の場合）または後端位置（逆位相の場合）になる。したがって、左足支持台２ａと右足支持台２ｂとの一方のみに位置センサを設けてもよい。この構成の場合、位置センサに代えて、モータ３１の回転数を検出するロータリエンコーダを用いたり、モータ３１の負荷電流の変化を監視することによりモータ３１の回転数を検出する構成を採用することもできる。
【０１９１】
左足支持台２ａや右足支持台２ｂの代表点の移動軌跡Ｌａ，Ｌｂを前後方向あるいは左右方向とする場合には、レール１７を用いた構成であればレール１７の向きを変え、ねじ棒５１を用いた構成ではねじ棒５１の向きを変えればよい。また、棒ねじ５１とウォーム５２との噛合位置を変更すれば、左足支持台２ａと右足支持台２ｂとの位相関係を適宜に設定することが可能である。
【０１９２】
（実施形態７）
以下の実施形態では、軸Ａｘ，Ａｙの周りで角度を変化させる動作について説明する。以下では左足支持台２ａおよび右足支持台２ｂを移動させることについては、とくに必要がなければ説明しない。
【０１９３】
上述した各実施形態では、軸Ａｘ，Ａｙの周りでの角度変化については、０度（水平）を中心位置として対称に角度を設定していたが、中心位置を水平面に対して偏移させてもよい。たとえば、中心位置を水平面に対して軸Ａｙの周りで１０度偏移させた位置（つまり、背屈側に偏移させた位置）とし、背屈時の最大角度を３０度、底屈時の最大角度を−１０度とすれば、アキレス腱を伸長させる効果が高くなる。このように、軸Ａｘ，Ａｙの周りの角度変化の中心位置を水平面に対して偏移させることをオフセットを与えると言い、水平面に対する偏移の角度をオフセット角と呼ぶ。
【０１９４】
オフセットを与えるには、図１８に示した実施形態１の構成であれば、ガイド面１４の形状を変更するか、軸受２１ｃと倣い突部２５との位置関係を変更すればよい。また、図２１に示した実施形態３の構成であれば、第２駆動部３３ｂに設けたクランクロッド４６の偏心回転体４５に対する取付位置を変更するか、平歯車４２，４３の噛合位置を変更すればよい。さらに、図２３に示した実施形態４の構成であれば、側板２７に形成したカム溝２８の形状を変更するか、カム溝２８に対するガイドバー２９の位置関係を変更すればよい。
【０１９５】
オフセット角の調節を可能にすることは、上述したどの構成でも可能ではあるが、カム溝２８とガイドバー２９とを用いる構成では、ガイドバー２９の位置変更のみでオフセット角を調節することができるので、使用者によるオフセット角の調節が可能になる。また、モータ３１の正逆回転を可能にし、回転方向を切り換えるタイミングを制御するようにしてもオフセットを付与することができる。ただし、この場合には左足支持台２ａと右足支持台２ｂとの移動範囲も変化する。なお、上述したように、左足支持台２ａおよび右足支持台２ｂの上面を水平面に対して一定角度で傾斜させた状態で、左足支持台２ａおよび右足支持台２ｂを移動させる場合もオフセットを付与したことになる。
【０１９６】
オフセットを付与する方法としては、ハウジング１を傾斜させる構成や左足支持台２ａと右足支持台２ｂとの少なくとも一方に傾斜を付与する構成を採用してもよい。ハウジング１を傾斜させる構成では、左足支持台２ａと右足支持台２ｂとの両方について個別にオフセットを付与することができないから、支持台座標系のｙ方向の軸Ａｙの周りではなく、フレーム座標系のＸ方向の軸周りあるいはＹ方向の軸周りにおいて角度を調節する場合に採用することになる。Ｘ方向の軸周りに傾斜を与える場合には、使用者の体幹が左右いずれかに傾くから、左脚または右脚のいずれかに荷重が偏って作用し、一方の脚部の筋群を集中的に強化することが可能になる。
【０１９７】
ハウジング１を傾斜させるには、ジャッキのような昇降機構をハウジング１の後端部に付加し、モータの回転力を利用してハウジング１の後端部の高さ位置を変化させるようにすればよい。昇降機構には、レイジートングないしパンタグラフで昇降させる構成や棒ねじを進退させる構成を採用することができる。昇降機構は、モータのような駆動源により駆動される。あるいはまた、ハウジング１の下面に床上に載置される複数本の脚（ねじ込み式の脚）を突設し、ねじの螺合量を調節して各脚の長さを調節することによってハウジング１の上面を床面に対して傾斜させてもよい。
【０１９８】
左足支持台２ａと右足支持台２ｂとについては、ジャッキのような昇降機構のほか、空気圧で膨縮するエアバッグによる昇降機構、磁力の吸引反発力を利用する昇降機構などを用い、足裏の各部位の高さ位置を変化させることによってオフセットを付与することができる。このほか、左足支持台２ａと右足支持台２ｂとにそれぞれ２個ずつの倣い突部２５を形成し、各倣い突部２５を形状の異なるガイド面１４に当接させることによって、ｘ方向の軸Ａｘの周りのオフセットを付与することが可能である。あるいはまた、左足支持台２ａと右足支持台２ｂとの少なくとも一方の上面に着脱可能な補助板を付加する構成によってオフセットを付与することも可能である。すなわち、補助板の上面を下面に対して適宜の角度で傾斜させておけば、この角度がオフセット角になる。
【０１９９】
オフセットを付与する場合と同様の効果が期待できる構成としては、図３１に示すように、左足支持台２ａと右足支持台２ｂとの少なくとも一方について、複数個の分割支持台２ｃにより形成しておき、分割支持台２ｃの一部を昇降させる構成を採用してもよい。この構成では、各分割支持台２ｃに足裏から作用する荷重が変化し、たとえば、分割支持台２ｃを前後に設けておき、後部の分割支持台２ｃを前部の分割支持台２ｃよりもやや下方に位置させると、実質的に背屈の状態になり、背屈側にオフセットを付与したことと同様の効果が期待できる。
【０２００】
分割支持台２ｃを設ける構成では、図３２に示すように、分割支持台２ｃが隣接する部位で前後２本の支柱５４を立て、各支柱５４の上端部にそれぞれ分割支持台２ｃの前後の一端部を蝶着し、各分割支持台２ｃの他端部を昇降機構により昇降させる構成を採用してもよい。昇降機構にはレイジートングないしパンタグラフで昇降させる構成や棒ねじを進退させる構成を採用することができる（図示例は棒ねじ５５を用いる構成を示している）。昇降機構は、モータのような駆動源により駆動される（棒ねじ５５に噛合するウォーム（図示せず）を回転させることにより棒ねじ５５を上下方向に進退させる）。
【０２０１】
なお、左足支持台２ａおよび右足支持台２ｂについてオフセットを付与する場合には、左足支持台２ａと右足支持台２ｂとのオフセット角を異ならせることが可能である。したがって、左右の一方の脚部に疾患を持つ使用者であっても他方の脚部について運動を行うことができる。
【０２０２】
筋活動率と膝関節に作用するせん断力とについて、背屈側に２．５度のオフセットを付与した場合（イ）と、オフセットを付与しない場合（ロ）との比較結果を図３３に示す。図３３は、ｙ方向の軸Ａｙ周りの回転について回転中心を足関節の位置に設定した場合であって、中心位置から２度、６度、１０度の回転角度で足関節を回転させ、左足支持台２ａおよび右足支持台２ｂをＸ方向に対して４５度と−４５度の方向に（つまり、Ｖ字状と逆Ｖ字状の移動軌跡を採用し）、１．６Ｈｚで往復移動させたときの結果を示している。また、左足支持台２ａおよび右足支持台２ｂの移動の振幅は２０ｍｍとした。膝関節のせん断力については両者で大きな変化はなく、筋活動率についてはオフセットを付与した場合のほうが高くなることがわかった。
【０２０３】
上述した各実施形態の動作は、適宜に選択したり組み合わせたりすることが可能である。また、ハウジング１の上面を平面としているが、曲面とすることも可能である。つまり、左足支持台２ａおよび右足支持台２ｂがハウジング１の上面の曲面に沿って移動する構成を採用してもよい。また、ガイド面１４を傾斜角度が単調に変化する形状ではなく、左足支持台２ａおよび右足支持台２ｂが後端位置と前端位置との間で一方向に移動する間に、上昇と下降とを複数回繰り返す形状とすれば、背屈と底屈との繰り返し回数を多くして下腿部の筋群への刺激を高めることができる。
【０２０４】
なお、上述した各実施形態において１個のモータ３１を用いて左足支持台２ａおよび右足支持台２ｂの摺動移動と上面の角度変化とを同時に行っているが、系統分離部３２を設ける代わりに２個のモータを用いて左足支持台２ａと右足支持台２ｂとを個別に移動させることも可能である。また、左足支持台２ａと右足支持台２ｂとを個別に移動させるだけではなく、第１駆動部３３ａと第２駆動部３３ｂとについても個別のモータを用いて動作させることが可能である。これらの構成を採用するときには、各モータを関連付けて駆動するための制御回路が必要になる。また、モータは回転モータだけではなくリニアモータを用いることも可能である。
【図面の簡単な説明】
【０２０５】
【図１】実施形態１を示す概略構成図である。
【図２】同上の上板を外した状態の平面図である。
【図３】同上の分解斜視図である。
【図４】同上の要部断面図である。
【図５】同上の要部拡大図である。
【図６】（ａ）（ｂ）は同上の駆動装置を示す系統図である。
【図７】同上の要部断面図である。
【図８】同上の動作説明図である。
【図９】同上の効果の一例を示す図である。
【図１０】同上の効果の一例を示す図である。
【図１１】同上の効果の一例を示す図である。
【図１２】同上の効果の一例を示す図である。
【図１３】同上の効果の一例を示す図である。
【図１４】同上の動作例を示す図である。
【図１５】同上の効果の一例を示す図である。
【図１６】（ａ）は同上の動作例を示す図、（ｂ）は同上の軸の位置を示す図である。
【図１７】（ａ）〜（ｄ）は同上に用いる位置決め部の構成例を示す断面図である。
【図１８】同上の動作説明図である。
【図１９】同上の他の構成例の動作説明図である。
【図２０】実施形態３の駆動装置を示す系統図である。
【図２１】同上の要部斜視図である。
【図２２】同上の動作説明図である。
【図２３】実施形態４の要部斜視図である。
【図２４】同上の動作説明図である。
【図２５】実施形態５を示す動作説明図である。
【図２６】実施形態６を示す動作説明図である。
【図２７】本発明の他の動作例を示す図である。
【図２８】本発明の別の動作例を示す図である。
【図２９】本発明のさらに別の動作例を示す図である。
【図３０】本発明の他の構成例を示す概略構成図である。
【図３１】実施形態７の要部側面図である。
【図３２】同上の他の構成例の要部側面図である。
【図３３】同上の効果の一例を示す図である。
【符号の説明】
【０２０６】
１  ハウジング（架台）
２ａ  左足支持台
２ｂ  右足支持台
３  駆動装置
Ａｘ，Ａｙ，Ａｚ  軸
Ｌａ，Ｌｂ  移動軌跡
【図１】
2008104869.tif 000003
【図２】
2008104869.tif 000004
【図３】
2008104869.tif 000005
【図４】
2008104869.tif 000006
【図５】
2008104869.tif 000007
【図６】
2008104869.tif 000008
【図７】
2008104869.tif 000009
【図８】
2008104869.tif 000010
【図９】
2008104869.tif 000011
【図１０】
2008104869.tif 000012
【図１１】
2008104869.tif 000013
【図１２】
2008104869.tif 000014
【図１３】
2008104869.tif 000015
【図１４】
2008104869.tif 000016
【図１５】
2008104869.tif 000017
【図１６】
2008104869.tif 000018
【図１７】
2008104869.tif 000019
【図１８】
2008104869.tif 000020
【図１９】
2008104869.tif 000021
【図２０】
2008104869.tif 000022
【図２１】
2008104869.tif 000023
【図２２】
2008104869.tif 000024
【図２３】
2008104869.tif 000025
【図２４】
2008104869.tif 000026
【図２５】
2008104869.tif 000027
【図２６】
2008104869.tif 000028
【図２７】
2008104869.tif 000029
【図２８】
2008104869.tif 000030
【図２９】
2008104869.tif 000031
【図３０】
2008104869.tif 000032
【図３１】
2008104869.tif 000033
【図３２】
2008104869.tif 000034
【図３３】
2008104869.tif 000035